(57)【要約】【課題】画像入力装置において、装置内部の温度状況に対応して適切に精度を確保したＡＦ動作を行う。【解決手段】電源ＳＷ７０が押されてタイマ８０によって計測された電源投入からの経過時間Ｔに応じて、制御手段６０が、第１オートフォーカス手段５０のＣＣＤＡＦ動作と第２オートフォーカス手段９０の外光ＡＦ動作とを択一的に切り換える【選択図】          図８
2004279684.tif 000002
【特許請求の範囲】
【請求項１】
投影された像を像信号に変換して出力する撮像手段と、前記撮像手段に被写体の像を投影する撮影光学系と、前記被写体までの距離を測定する測距手段と、前記撮影光学系の一部もしくは全部および前記撮像手段のうち少なくとも一方を他方に対して相対的に移動させて前記撮像手段に投影される像のピント状態を変化させるフォーカス駆動手段と、前記フォーカス駆動手段を制御して前記ピント状態を順次変化させつつ、各ピント状態ごとに得られた前記像信号を逐次評価し、この評価に基づいて所定のピント状態を得る第１オートフォーカス手段と、前記第１オートフォーカス手段の作動を制御する制御手段とを備えた画像入力装置において、
該画像入力装置への電源投入からの経過時間を計時するタイマ手段をさらに備え、
前記制御手段は、前記タイマ手段によって計時された経過時間に応じて、前記第１オートフォーカス手段の作動を制御することを特徴とする画像入力装置。
【請求項２】
前記制御手段は、前記測距手段によって得られた距離に対応するピント状態の周辺ピント範囲で前記評価を行うように、前記第１オートフォーカス手段を制御するとともに、前記経過時間に応じて、前記周辺ピント範囲の広狭を設定することを特徴とする請求項１に記載の画像入力装置。
【請求項３】
前記制御手段は、前記経過時間が、前記測距手段の周辺温度の変動期間に対応して予め設定された時間範囲であるときは、前記周辺温度の安定期間に対応する時間範囲であるときよりも、前記周辺ピント範囲を広く設定することを特徴とする請求項２に記載の画像入力装置。
【請求項４】
前記測距手段によって得られた距離に基づいて前記フォーカス駆動手段を制御し、所定のピント状態を得る第２オートフォーカス手段をさらに備え、
前記制御手段は、前記タイマ手段によって計時された経過時間に応じて、前記第１オートフォーカス手段の作動と前記第２オートフォーカス手段の作動とを切り換えることを特徴とする請求項１に記載の画像入力装置。
【請求項５】
前記制御手段は、前記測距手段によって得られた距離に対応するピント状態の周辺ピント範囲で前記評価を行うように、前記第１オートフォーカス手段を制御することを特徴とする請求項４に記載の画像入力装置。
【請求項６】
前記制御手段は、前記経過時間が、前記測距手段の周辺温度の変動期間に対応して予め設定された時間範囲であるときは、前記第１オートフォーカス手段を作動させ、前記周辺温度の安定期間に対応する時間範囲であるときは、前記第２オートフォーカス手段を作動させるように、前記第１オートフォーカス手段の作動と前記第２−オートフォーカス手段の作動とを切り換えることを特徴とする請求項４又は５に記載の画像入力装置。
【請求項７】
前記変動期間に対応して予め設定された時間範囲は、前記電源投入から第１の所定時間が経過したときから、前記第１の所定時間よりも長い第２の所定時間が経過したときまで、の時間範囲であることを特徴とする請求項３または６に記載の画像入力装置。
【請求項８】
少なくとも電源投入時における前記画像入力装置内の初期温度を検出する温度検出手段をさらに備え、
前記制御手段は、前記温度検出手段によって検出された初期温度に応じて、前記第２の所定時間を遅延させることを特徴とする請求項７に記載の画像入力装置。
【請求項９】
投影された像を像信号に変換して出力する撮像手段と、前記撮像手段に被写体の像を投影する撮影光学系と、前記被写体までの距離を測定する測距手段と、前記撮影光学系の一部もしくは全部および前記撮像手段のうち少なくとも一方を他方に対して相対的に移動させて前記撮像手段に投影される像のピント状態を変化させるフォーカス駆動手段と、前記フォーカス駆動手段を制御して前記ピント状態を順次変化させつつ、各ピント状態ごとに得られた前記像信号を逐次評価し、この評価に基づいて所定のピント状態を得る第１オートフォーカス手段と、前記第１オートフォーカス手段の作動を制御する制御手段とを備えた画像入力装置において、
該画像入力装置内の温度を検出する温度検出手段をさらに備え、
前記制御手段は、前記温度検出手段によって検出された温度の経時的変化割合に応じて、前記第１オートフォーカス手段の作動を制御することを特徴とする画像入力装置。
【請求項１０】
前記制御手段は、前記測距手段によって得られた距離に対応するピント状態の周辺ピント範囲で前記評価を行うように、前記第１オートフォーカス手段を制御するとともに、前記温度の経時的変化割合に応じて、前記周辺ピント範囲の広狭を設定することを特徴とする請求項９に記載の画像入力装置。
【請求項１１】
前記制御手段は、前記温度の経時的変化割合が、予め設定された所定値よりも大きいときは、前記周辺ピント範囲を広く設定することを特徴とする請求項１０に記載の画像入力装置。
【請求項１２】
前記測距手段によって得られた距離に基づいて前記フォーカス駆動手段を制御し、所定のピント状態を得る第２オートフォーカス手段をさらに備え、
前記制御手段は、前記温度検出手段によって検出された温度の経時的変化割合に応じて、前記第１オートフォーカス手段の作動と前記第２オートフォーカス手段の作動とを切り換えることを特徴とする請求項９に記載の画像入力装置。
【請求項１３】
前記制御手段は、前記測距手段によって得られた距離に対応するピント状態の周辺ピント範囲で前記評価を行うように、前記第１オートフォーカス手段を制御することを特徴とする請求項１２に記載の画像入力装置。
【請求項１４】
前記制御手段は、前記温度の経時的変化割合が、予め設定された所定値よりも大きいときは、前記第１オートフォーカス手段を作動させ、前記所定値よりも小さいときは、前記第２オートフォーカス手段を作動させるように、前記第１オートフォーカス手段の作動と前記第２オートフォーカス手段の作動とを切り換えることを特徴とする請求項１２又は１３に記載の画像入力装置。
。
【請求項１５】
投影された像を像信号に変換して出力する撮像手段と、前記撮像手段に被写体の像を投影する撮影光学系と、前記被写体までの距離を測定する測距手段と、前記撮影光学系の一部もしくは全部および前記撮像手段のうち少なくとも一方を他方に対して相対的に移動させて前記撮像手段に投影される像のピント状態を変化させるフォーカス駆動手段と、前記フォーカス駆動手段を制御して前記ピント状態を順次変化させつつ、各ピント状態ごとに得られた前記像信号を逐次評価し、この評価に基づいて所定のピント状態を得る第１オートフォーカス手段と、前記第１オートフォーカス手段の作動を制御する制御手段とを備えた画像入力装置において、
該画像入力装置内の互いに異なる複数の部位の温度をそれぞれ検出する複数の温度検出手段をさらに備え、
前記制御手段は、前記複数の温度検出手段によってそれぞれ検出された温度に基づく前記画像入力装置内の温度分布の不均一性に応じて、前記第１オートフォーカス手段の作動を制御することを特徴とする画像入力装置。
【請求項１６】
前記制御手段は、前記測距手段によって得られた距離に対応するピント状態の周辺ピント範囲で前記評価を行うように、前記第１オートフォーカス手段を制御するとともに、前記温度分布の不均一性に応じて、前記周辺ピント範囲の広狭を設定することを特徴とする請求項１５に記載の画像入力装置。
【請求項１７】
前記制御手段は、前記温度分布の不均一性を表す指標値が、予め設定された所定値よりも大きいときは、前記周辺ピント範囲を広く設定することを特徴とする請求項１６に記載の画像入力装置。
【請求項１８】
前記測距手段によって得られた距離に基づいて前記フォーカス駆動手段を制御し、所定のピント状態を得る第２オートフォーカス手段をさらに備え、
前記制御手段は、前記複数の温度検出手段によってそれぞれ検出された温度に基づく前記画像入力装置内の温度分布の不均一性に応じて、前記第１オートフォーカス手段の作動と前記第２オートフォーカス手段の作動とを切り換えることを特徴とする請求項１５に記載の画像入力装置。
【請求項１９】
前記制御手段は、前記測距手段によって得られた距離に対応するピント状態の周辺ピント範囲で前記評価を行うように、前記第１オートフォーカス手段を制御することを特徴とする請求項１８に記載の画像入力装置。
【請求項２０】
前記制御手段は、前記温度分布の不均一性を表す指標値が、予め設定された所定値よりも大きいときは、前記第１オートフォーカス手段を作動させ、前記所定値よりも小さいときは、前記第２オートフォーカス手段を作動させるように、前記第１オートフォーカス手段の作動と前記第２オートフォーカス手段の作動とを切り換えることを特徴とする請求項１８又は１９に記載の画像入力装置。
【請求項２１】
前記複数の温度検出手段のうち少なくとも１つは、前記測距手段近傍部位のうち前記撮像手段に近い側の部位に設けられ、少なくとも他の１つは、前記測距手段近傍部位のうち前記撮像手段から遠い側の部位に設けられていることを特徴とする請求項１５から２０のうちいずれか１項に記載の画像入力装置。
【請求項２２】
前記測距手段は、前記撮影光学系を通過する光路とは異なる光路を通過した複数の被写体像の位相差に基づいて、前記被写体までの距離を検出するものであることを特徴とする請求項１から２１のうちいずれか１項に記載の画像入力装置。
【発明の詳細な説明】
【０００１】
【発明の属する技術分野】
本発明は画像入力装置に関し、詳細には、温度による影響を受ける測距手段を有する画像入力装置におけるオートフォーカス動作の改良に関する。
【０００２】
【従来の技術】
従来より、スチルカメラやビデオカメラ等の画像入力装置には、被写体像のピント状態を自動で最適に調整するＡＦ（オートフォーカス）装置が搭載されている。
【０００３】
そして、被写体像を画像や映像としてフイルムやビデオテープ等の記録媒体に記録する伝統的な画像入力装置におけるオートフォーカス装置は、被写体までの距離を求める測距手段を備え、この測距手段によって求められた距離に対応するフォーカス位置までレンズを移動させるようにフォーカス駆動手段を制御するＡＦが採用されており、後述するコントラストＡＦに対して外光ＡＦと称されている。
【０００４】
外光ＡＦは、測距手段による測距方法の違いによって、パッシブＡＦとアクティブＡＦとに大別され、パッシブＡＦは、撮影光学系を通過する光路とは異なる光路を通過して測距手段に投影された複数の被写体像の位相差に基づいて測距し、アクティブＡＦは、例えば近赤外線や超音波等を被写体に照射し、被写体からの反射波が測距手段に戻るまでの時間や角度に基づいて測距するものである。
【０００５】
なお、アクティブＡＦでは、例えば窓ガラス越しの被写体を撮影する場合、被写体に照射した近赤外線等が窓ガラスで反射されてしまうため、被写体までの距離を精度良く検出することができない場合があるのに対して、このような構図であっても影響を受けにくいパッシブＡＦは、比較的精度が要求される画像入力装置に採用される傾向がある。
【０００６】
一方、被写体像を、撮影光学系を介してＣＣＤやＣＭＯＳなどの撮像手段に投影し、この投影された像を電気信号として取り出すデジタルカメラ等の新規な画像入力装置では、被写体像の投影と略同時に画像信号として取り出すことができるため、この画像信号を利用してＡＦ動作を行わせることができる。
【０００７】
すなわち、このＡＦは、撮影光学系のフォーカスレンズを移動させながら、その移動の都度、撮像手段に投影された像のコントラスト（画像の鮮鋭度等）を、画像信号に基づいてリアルタイムに評価し、この評価の値が極大となる位置で撮影光学系の移動を停止させるものであり、コントラストＡＦと称されている。なお、撮像手段としてＣＣＤを用いたものでは、ＣＣＤＡＦともいう。
【０００８】
このコントラストＡＦは、被写体までの距離を求めるのではなく、撮像手段に実際に投影された像を評価して行うＡＦであるため、合焦精度が非常に高いという特長を有している。
【０００９】
そして、コントラストＡＦは、フォーカスレンズを移動しつつ各移動位置ごとの評価値を比較しながら行うため、像の蓄積、転送、評価値の算出、比較という一連の動作の繰返し周波数を高めるほど合焦精度を向上させることができる。
【００１０】
一方、繰返し周波数を高くすると、合焦位置の決定（ＡＦ動作の完了）までに要する時間が長く掛かるという問題があり、ＡＦ動作の開始から完了までに要する時間すなわちタイムラグが、被写体像のピント合わせに重大な影響を及ぼす状況、例えば高速度で移動している被写体を撮影する場合等においては、所望とするタイミングで撮影することができない場合がある。
【００１１】
また、コントラストＡＦは、全体のコントラストが低下している暗い状況下では、評価値に有意な差が現れず、適切な合焦動作を行うことができない場合もある。
【００１２】
これに対して外光ＡＦは、合焦精度の点ではコントラストＡＦに劣るものの、ＡＦ動作に要するタイムラグが少ないため、動的な被写体に対しても良好に追従することができ、撮影タイミングの逸失を防止することができる。
【００１３】
また、外光ＡＦは、一般的には被写体のコントラストによる影響を受けにくいという特長も有している。
【００１４】
そこで、これら外光ＡＦ動作を行うＡＦ手段とコントラストＡＦ動作を行うＡＦ手段とを備え、撮影状況や被写体の状況に応じて、両ＡＦ動作を択一的に切換え可能としたハイブリッドＡＦ（ＨＢＡＦ）が提案されている（特許文献１）。
【００１５】
また、本出願人においても、通常の撮影操作の範囲で、外光ＡＦを基調としつつ所定の条件下でコントラストＡＦに切換え可能としたＨＢＡＦを提案している（特許文献２，３（未公開））。
【００１６】
【特許文献１】
特開２００１−２５５４５６号公報
【特許文献２】
特願２００２−１７５２９７号
【特許文献３】
特願２００２−２３１０６５号
【００１７】
【発明が解決しようとする課題】
ところで、ＨＢＡＦにおける外光ＡＦとして例えばパッシブＡＦを適用した場合、図３に示すような測距手段が用いられる。
【００１８】
すなわち、この測距センサ（測距手段）は、光軸間距離（基線長）Ｂで左右に配置された２つのレンズと、各レンズの後方に配置された絞りと、さらに後方に配置された２つのＣＣＤ（ラインセンサ）を備え、被写体までの距離Ｌは、各ラインセンサ上に投影された被写体像間の位置ずれ量（位相差）２Δｄ（＝Δｄ＋Δｄ）、レンズの焦点距離ｆおよび基線長Ｂに基づいて、下記式（１）により求めることができる。
Ｌ＝Ｂｆ／（２Δｄ）            （１）
ここで、基線長Ｂの精度を確保するとともに製造コスト抑制のために、２つのレンズは図３（ａ）に示すように一体的に形成されるのが一般的である。そして、この一体レンズは、一体成型に適したプラスチック材料によって形成されている。
【００１９】
ところで、上述した基線長Ｂは、被写体までの距離Ｌに対して極めて短いため、基線長Ｂのわずかな誤差や変動によって、検出される距離Ｌは大きく変動し、測距精度に与える影響は大きい。
【００２０】
また、基線長Ｂの誤差や焦点距離ｆの誤差がそれぞれ許容範囲内であっても、測距手段全体としての集積誤差が許容範囲から外れる虞もある。
【００２１】
そこで、許容範囲から外れるような集積誤差を有するものでは、組合せを予め調整したり、式（１）に適当な係数を乗じることによって、誤差を補正することが行われている。
【００２２】
しかし、このような事前調整を施した場合にも、温度変化による収縮の問題が残る。すなわち、特にプラスチック材料のように温度変化による収縮が大きい材料で形成されたレンズでは、使用環境の雰囲気温度によって基線長Ｂや焦点距離ｆが変動することが懸念される。
【００２３】
そこで、デジタルカメラ等の新規の画像入力装置に対して、伝統的な画像入力装置で用いられていた補正方法を適用することが考えられる。すなわち、この補正方法は、画像入力装置に温度センサを備えるとともに、温度に対する検出距離の変動（温度特性）を予め実験的に求めておき、温度センサで検出された温度に応じて、外光ＡＦモジュールで検出された被写体距離を補正するものである。
【００２４】
しかし、新規の画像入力装置では、ＣＣＤ等撮像素子や付随する電子回路等、液晶モニタ等による発熱が大きいため、装置内部の温度変動に対する測距精度への影響は、伝統的な画像入力装置よりも大きく、電源を投入してからの経過時間に対する温度上昇の割合も急激であり、伝統的な画像入力装置と同様の補正方法で対応するのは困難である。
【００２５】
なお、上述した温度変動による誤差の問題は、外光ＡＦがパッシブＡＦである場合に限るものではなく、アクティブＡＦの場合であっても、測距手段や撮像手段（ＣＣＤ等）を有する限り、同様に起こりうるものである。
【００２６】
また、この問題は、ＨＢＡＦにおいて外光ＡＦが適用される条件下でのみ起こりうるものでなく、コントラストＡＦによる走査範囲を、測距手段によって得られた被写体距離に基づいて、ある程度限定するようなＨＢＡＦにおいても同様に起こりうる。
【００２７】
本発明は上記事情に鑑みなされたものであり、装置内部の温度状況に対応して適切に精度を確保したＡＦ動作を行うことができる画像入力装置を提供することを目的とする。
【００２８】
【課題を解決するための手段】
上記課題を解決するため、本発明に係る第１の画像入力装置は、画像入力装置への電源投入からの経過時間に応じて、コントラストＡＦの動作を適切に制御するものである。
【００２９】
すなわち、本発明の請求項１に係る画像入力装置は、投影された像を像信号に変換して出力する撮像手段と、前記撮像手段に被写体の像を投影する撮影光学系と、前記被写体までの距離を測定する測距手段と、前記撮影光学系の一部もしくは全部および前記撮像手段のうち少なくとも一方を他方に対して相対的に移動させて前記撮像手段に投影される像のピント状態を変化させるフォーカス駆動手段と、前記フォーカス駆動手段を制御して前記ピント状態を順次変化させつつ、各ピント状態ごとに得られた前記像信号を逐次評価し、この評価に基づいて所定のピント状態を得る第１オートフォーカス手段と、前記第１オートフォーカス手段の作動を制御する制御手段とを備えた画像入力装置において、該画像入力装置への電源投入からの経過時間を計時するタイマ手段をさらに備え、前記制御手段は、前記タイマ手段によって計時された経過時間に応じて、前記第１オートフォーカス手段の作動を制御することを特徴とする。
【００３０】
ここで、画像入力装置には、電子スチルカメラやこれと同様のビデオカメラ、その他シャッタを操作して被写体の像を撮像する種々の画像入力装置を含む。
【００３１】
また、撮像手段とは、ＣＣＤやＣＭＯＳ等の固体撮像素子やその他の光電変換素子等が配列されたイメージセンサを意味し、投影された像を略リアルタイムに電気信号等の像信号として取り出すことができるものをいう。
【００３２】
撮影光学系とは、撮像手段に被写体の像を投影し、結像させるフォーカスレンズ群等の光学系を意味するものであり、ズームレンズ群等の光学系を付加的に備えるものも含む。
【００３３】
測距手段は、アクティブＡＦに用いられるモジュールであってもよいし、パッシブＡＦに用いられるモジュールであってもよい。
【００３４】
また、撮影光学系の一部もしくは全部および撮像手段のうち少なくとも一方とは、
（ｉ）撮影光学系の一部のみ、
（ｉｉ）撮影光学系の全部のみ、
（ｉｉｉ）撮像手段のみ、
（ｉｖ）撮影光学系の一部および撮像手段、
（ｖ）撮影光学系の全部および撮像手段、
という５つの態様のうちいずれかの態様を意味し、撮影光学系と撮像手段の構成に応じて適宜選択できるものである。
【００３５】
また、像信号を逐次評価するとは、各ピント状態ごとに得られた各像信号について、例えば被写体像のコントラストや鮮鋭度等、被写体像のピント状態に対応する値（画像信号の微分値等）を求め、得られた各値間での最大値あるいは極大値を求めること等をいう。
【００３６】
すなわち、例えば、被写体像の鮮鋭度は、輪郭部等についての画像信号の微分値で表すことができ、この微分値が極大となるとき、被写体像が撮像手段上で適切に結像している状態すなわちピントが合っている状態ということができる。
【００３７】
したがって、第１オートフォーカス手段は、いわゆるコントラストＡＦ（ＣＣＤＡＦ）動作などによってフォーカス駆動手段を制御するものである。
【００３８】
タイマ手段は、時間を直接計るものに限らず、適当な周期のクロック信号を発するパルス発生器と、発生したクロック信号のパルス数を計数するカウンタとからなるもののように、時間を間接的に図るものであってもよい。
【００３９】
第１オートフォーカス手段の作動を制御するとは、第１オートフォーカス手段の作動内容自体を制御するものであってもよいし、オートフォーカス動作の種類が第１オートフォーカス手段のものとは異なる他のオートフォーカス手段をさらに備えるものにあっては、この第１オートフォーカス手段の作動と当該他のオートフォーカス手段の作動とを切り換える切換制御するものであってもよい。
【００４０】
そして、第１オートフォーカス手段の作動は、測距手段によって測距された被写体までの距離に応じたものであるため、この測距の精度に直接依存している。
【００４１】
一方、測距手段による測距の精度あるいはその精度に対応して制御手段が被写体までの距離を補正すべき補正量は、測距手段周辺等画像入力装置内部の温度に依存し、この画像入力装置内部の温度は、電源投入からの経過時間に依存している。
【００４２】
したがって、本発明の請求項１に係る画像入力装置によれば、タイマ手段によって計時された経過時間に応じて、制御手段が第１オートフォーカス手段の作動を制御することにより、画像入力装置内の温度に応じて、すなわち測距手段の測距精度等に応じて、第１オートフォーカス手段の作動が制御され、第１オートフォーカス手段によるＡＦ動作を適切な精度で行わせることができる。
【００４３】
また、本発明の請求項２に係る画像入力装置は、請求項１に係る画像入力装置において、前記制御手段は、前記測距手段によって得られた距離に対応するピント状態の周辺ピント範囲で前記評価を行うように、前記第１オートフォーカス手段を制御するとともに、前記経過時間に応じて、前記周辺ピント範囲の広狭を設定することを特徴とする。
【００４４】
このように構成された本発明の請求項２に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【００４５】
また、電源投入からの経過時間に応じてこの周辺ピント範囲の広狭が設定されるため、例えば、測距手段等の精度が低下するような温度状況下では、所定ピント状態を探索するために走査する周辺ピント範囲を広く設定して評価することによって、全域を走査範囲としていれば検出されるべき最適ピント状態の位置が限定された走査範囲から外れて設定されるのを防止することができ、一方、測距手段等の精度が低下しない温度状況下では、走査する周辺ピント範囲を狭く設定して評価することによって、探索時間の短縮を図ることができる。
【００４６】
なお、制御手段は、第１オートフォーカス手段が評価する際の対象であるピント範囲の広狭を制御するだけでなく、フォーカス駆動手段による撮影光学系等の移動範囲の広狭も併せて制御してもよい。
【００４７】
このように撮影光学系等の移動範囲の広狭をも同時に制御することにより、撮影光学系等の移動範囲を狭く設定した場合においては、この撮影光学系等の移動に要する時間を短縮することができ、ＡＦ動作完了までのタイムラグを低減することができる。
【００４８】
また、本発明の請求項３に係る画像入力装置は、請求項２に係る画像入力装置において、前記制御手段は、前記経過時間が、前記測距手段の周辺温度の変動期間に対応して予め設定された時間範囲であるときは、前記周辺温度の安定期間に対応する時間範囲であるときよりも、前記周辺ピント範囲を広く設定することを特徴とする。
【００４９】
ここで、周辺温度の安定期間とは、時間の経過に対する温度変化の割合が小さい期間を意味し、例えば、単位時間当たり１０％以下、好ましくは５％以下、最適には２％以下の温度変動率の期間をいう。
【００５０】
そして、この安定期間に対応した時間範囲は、具体的には例えば、画像入力装置への電源投入時（Ｔ＝０）から短時間経過（Ｔ＝Ｔ１）までの時間範囲（０≦Ｔ≦Ｔ１；低温安定期間）や、電源投入時から長時間経過（Ｔ＝Ｔ２）した以後の時間範囲（Ｔ２≦Ｔ；高温安定期間）などである。
【００５１】
すなわち、低温安定期間は、電源投入直後における短時間だけ比較的低温で維持された状態を呈し、高温安定期間は、画像入力装置内の温度が比較的高温でサチレートした状態を呈する。
【００５２】
一方、周辺温度の変動期間とは、時間の経過に対する温度変化の割合が、安定期間における割合よりも大きい期間を意味する。したがって、安定期間以外の期間が変動期間となる。
【００５３】
そして、具体的には例えば、安定期間が上記低温安定期間（０≦Ｔ≦Ｔ１）および高温安定期間（Ｔ２≦Ｔ）である場合には、変動期間に対応した所定時間範囲は、これら安定期間以外の期間、すなわち、画像入力装置への電源投入時から短時間経過（Ｔ＝Ｔ１）した以後から、長時間経過（Ｔ＝Ｔ２）するまでの間の時間範囲（Ｔ１＜Ｔ＜Ｔ２）である。
【００５４】
このように構成された本発明の請求項３に係る画像入力装置によれば、経過時間が、測距手段の周辺温度の変動期間に対応して予め設定された時間範囲であるときは、周辺温度の安定期間に対応する時間範囲であるときよりも、測距手段の測距精度が変動しやすいため、低温安定期間や高温安定期間のように一律な補正によって対応することができないが、制御手段が、精度変動している状態の測距手段によって検出された測距距離を基礎として設定される周辺ピント範囲を広く設定するため、この周辺ピント範囲を走査範囲として評価する第１オートフォーカス手段の精度が低下するのを防止することができる。
【００５５】
また、本発明の請求項４に係る画像入力装置は、請求項１に係る画像入力装置において、前記測距手段によって得られた距離に基づいて前記フォーカス駆動手段を制御し、所定のピント状態を得る第２オートフォーカス手段をさらに備え、前記制御手段は、前記タイマ手段によって計時された経過時間に応じて、前記第１オートフォーカス手段の作動と前記第２オートフォーカス手段の作動とを切り換えることを特徴とする。
【００５６】
ここで、第２オートフォーカス手段は、測距手段によって得られた距離に基づいて、所定のピント状態を直接得るように、フォーカス駆動手段を制御するものであればよく、例えば、いわゆる外光ＡＦ動作などを行うオートフォーカス手段である。
【００５７】
すなわち、この第２オートフォーカス手段は、測距手段によって得られた被写体までの距離に基づいて、この距離に対応した被写体の像が撮像手段上で所定のピント状態で結像するのに必要な撮影光学系と撮像手段との間の距離を直接算出し、撮影光学系と撮像手段との間の距離が、この算出された距離になるように、フォーカス駆動手段を制御する。
【００５８】
したがって、この第２オートフォーカス手段によるＡＦ動作は、第１オートフォーカス手段によるＡＦ動作よりも、測距手段の測距精度への依存度が高い。
【００５９】
そして、本発明の請求項４に係る画像入力装置によれば、制御手段が、タイマ手段によって計時された経過時間に応じて、第１オートフォーカス手段の作動と第２オートフォーカス手段の作動とを切り換えるため、例えば、経過時間が上述した温度の変動期間に対応する時間範囲にあるときは、測距手段の測距精度への依存度が比較的少ない第１オートフォーカス手段の作動に切り換えてコントラストＡＦ動作を行わせ、一方、経過時間が上述した温度の安定期間に対応する時間範囲にあるときは、第２オートフォーカス手段の作動に切り換えて外光ＡＦ動作を行わせて、温度変動に対するＡＦ精度の低下を適切に防止することができる。
【００６０】
また、本発明の請求項５に係る画像入力装置は、請求項４に係る画像入力装置において、前記制御手段は、前記測距手段によって得られた距離に対応するピント状態の周辺ピント範囲で前記評価を行うように、前記第１オートフォーカス手段を制御することを特徴とする。
【００６１】
このように構成された本発明の請求項５に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【００６２】
また、本発明の請求項６に係る画像入力装置は、請求項４又は５に係る画像入力装置において、前記制御手段は、前記経過時間が、前記測距手段の周辺温度の変動期間に対応して予め設定された時間範囲であるときは、前記第１オートフォーカス手段を作動させ、前記周辺温度の安定期間に対応する時間範囲であるときは、前記第２オートフォーカス手段を作動させるように、前記第１オートフォーカス手段の作動と前記第２オートフォーカス手段の作動とを切り換えることを特徴とする。
【００６３】
このように構成された本発明の請求項６に係る画像入力装置によれば、経過時間が、測距手段の周辺温度の変動期間に対応して予め設定された時間範囲であるときは、周辺温度の安定期間に対応する時間範囲であるときよりも、測距手段の測距精度が変動しやすいため、低温安定期間や高温安定期間のように一律な補正によって対応することができないが、経過時間が変動期間に対応して予め設定された時間範囲であるときは、測距手段の測距精度への依存度が比較的少ない第１オートフォーカス手段を作動させ、経過時間が安定期間に対応する時間範囲であるときは、第２オートフォーカス手段を作動させるように、制御手段が第１オートフォーカス手段の作動と第２オートフォーカス手段の作動とを切り換えるため、温度変動に対するＡＦ精度の低下を適切に防止することができる。
【００６４】
また、本発明の請求項７に係る画像入力装置は、請求項３または６に係る画像入力装置において、前記変動期間に対応して予め設定された時間範囲は、前記電源投入から第１の所定時間が経過したときから、前記第１の所定時間よりも長い第２の所定時間が経過したときまで、の時間範囲であることを特徴とする。
【００６５】
ここで、第１の所定時間は、上述した低温安定期間の終了時に対応した時間であり、第２の所定時間は、上述した高温安定期間の開始時に対応した時間である。
【００６６】
このように構成された本発明の請求項７に係る画像入力装置によれば、低温安定期間が終了してから高温安定期間が開始するまでの間の期間は、低温安定期間中の低温状態から高温安定期間の高温状態に至る急激な温度変動期間であり、この期間を変動期間として設定することにより、測距手段の精度変動期間には、走査範囲である周辺ピント範囲を拡大してコントラストＡＦ動作を作動させること（請求項３）によって、または測距手段の精度変動期間には、外光ＡＦ動作を行わずにコントラストＡＦ動作を行うこと（請求項６）によって、測距手段の精度変動によるＡＦ精度の低下を防止することができる。
【００６７】
また、本発明の請求項８に係る画像入力装置は、請求項７に係る画像入力装置において、少なくとも電源投入時における前記画像入力装置内の初期温度を検出する温度検出手段をさらに備え、前記制御手段は、前記温度検出手段によって検出された初期温度に応じて、前記第２の所定時間を遅延させることを特徴とする。
【００６８】
ここで、画像入力装置への電源投入時における装置内部の初期温度は、この画像入力装置の雰囲気温度と略一致するが、電源投入後の低温安定期間については、この雰囲気温度に拘わらず略一定であるのに対して、この低温安定期間に後続する変動期間の終了時すなわち高温安定期間の開始時は、雰囲気温度に応じて変動する。
【００６９】
具体的には、雰囲気温度が高い程、変動期間は短縮されて、より早く高温安定期間に至る。
【００７０】
したがって、本発明の請求項８に係る画像入力装置によれば、制御手段が、温度検出手段によって検出された初期温度に応じて、第２の所定時間を遅延させることにより、画像入力装置の温度の変動期間と安定期間とを精度よく設定することができ、測距手段の精度変動によるＡＦ精度の低下を防止することができる。
【００７１】
なお、以上の説明は、特に言及した場合を除き、以下の発明においても同様である。
【００７２】
また、本発明に係る第２の画像入力装置は、画像入力装置内の温度に応じて、コントラストＡＦの動作を適切に制御するものである。
【００７３】
すなわち、本発明の請求項９に係る画像入力装置は、投影された像を像信号に変換して出力する撮像手段と、前記撮像手段に被写体の像を投影する撮影光学系と、前記被写体までの距離を測定する測距手段と、前記撮影光学系の一部もしくは全部および前記撮像手段のうち少なくとも一方を他方に対して相対的に移動させて前記撮像手段に投影される像のピント状態を変化させるフォーカス駆動手段と、前記フォーカス駆動手段を制御して前記ピント状態を順次変化させつつ、各ピント状態ごとに得られた前記像信号を逐次評価し、この評価に基づいて所定のピント状態を得る第１オートフォーカス手段と、前記第１オートフォーカス手段の作動を制御する制御手段とを備えた画像入力装置において、該画像入力装置内の温度を検出する温度検出手段をさらに備え、前記制御手段は、前記温度検出手段によって検出された温度の経時的変化割合に応じて、前記第１オートフォーカス手段の作動を制御することを特徴とする。
【００７４】
ここで、温度検出手段が検出する画像入力装置内の温度は、測距手段の周辺の温度であることが好ましい。
【００７５】
測距手段周辺の温度の経時的変化割合は、測距手段が検出する被写体までの距離の測距精度に、大きな影響を与えるからである。
【００７６】
このように構成された本発明の請求項９に係る画像入力装置によれば、温度検出手段によって検出された温度の経時的変化割合に応じて、制御手段が第１オートフォーカス手段の作動を制御することにより、画像入力装置内の温度の経時的変化割合すなわち測距手段の測距精度等に応じて、第１オートフォーカス手段の作動が制御され、第１オートフォーカス手段によるＡＦ動作を適切な精度で行わせることができる。
【００７７】
また、本発明の請求項１０に係る画像入力装置は、請求項９に係る画像入力装置において、前記制御手段は、前記測距手段によって得られた距離に対応するピント状態の周辺ピント範囲で前記評価を行うように、前記第１オートフォーカス手段を制御するとともに、前記温度の経時的変化割合に応じて、前記周辺ピント範囲の広狭を設定することを特徴とする。
【００７８】
このように構成された本発明の請求項１０に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【００７９】
また、画像入力装置内の温度の経時的変化割合に応じて、この周辺ピント範囲の広狭が設定されるため、例えば、測距手段等の精度が低下するような温度状況下では、所定ピント状態を探索するために走査する周辺ピント範囲を広く設定して評価することによって、全域を走査範囲としていれば検出されるべき最適ピント状態の位置が限定された走査範囲から外れて設定されるのを防止することができ、一方、測距手段等の精度が低下しない温度状況下では、走査する周辺ピント範囲を狭く設定して評価することによって、探索時間の短縮を図ることができる。
【００８０】
なお、制御手段は、第１オートフォーカス手段が評価する際の対象であるピント範囲の広狭を制御するだけでなく、フォーカス駆動手段による撮影光学系等の移動範囲の広狭も併せて制御してもよい。
【００８１】
このように撮影光学系等の移動範囲の広狭をも同時に制御することにより、撮影光学系等の移動範囲を狭く設定した場合においては、この撮影光学系等の移動に要する時間を短縮することができ、ＡＦ動作完了までのタイムラグを低減することができる。
【００８２】
また、本発明の請求項１１に係る画像入力装置は、請求項１０に係る画像入力装置において、前記制御手段は、前記温度の経時的変化割合が、予め設定された所定値よりも大きいときは、前記周辺ピント範囲を広く設定することを特徴とする。
【００８３】
ここで、予め設定された所定値は、測距手段の周辺等画像入力手段内部の温度が安定している安定期間と、この温度が大きく変化する変動期間とを、明確に画する値をいう。
【００８４】
すなわち、例えば、温度の経時的変化割合が１０％以下、好ましくは５％以下、最適には２％以下の期間を安定期間として設定する場合には、この１０％、好ましくは５％、最適には２％が所定値となる。
【００８５】
なお、安定期間は、具体的には例えば、画像入力装置への電源投入時（Ｔ＝０）から短時間経過（Ｔ＝Ｔ１）までの時間範囲（０≦Ｔ≦Ｔ１；低温安定期間）や、電源投入時から長時間経過（Ｔ＝Ｔ２）した以後の時間範囲（Ｔ２≦Ｔ；高温安定期間）などである。
【００８６】
すなわち、低温安定期間は、電源投入直後における短時間だけ比較的低温で維持された状態を呈し、高温安定期間は、画像入力装置内の温度が比較的高温でサチレートした状態を呈する。
【００８７】
そして、具体的には例えば、安定期間が上記低温安定期間（０≦Ｔ≦Ｔ１）および高温安定期間（Ｔ２≦Ｔ）である場合には、変動期間はこれらの間の期間（Ｔ１＜Ｔ＜Ｔ２）となる。
【００８８】
このように構成された本発明の請求項１１に係る画像入力装置によれば、温度の経時的変化割合が、予め設定された所定値よりも大きいときは、所定値よりも小さいときよりも、測距手段の測距精度が変動しやすいため、低温安定期間や高温安定期間のように一律な補正によって対応することができないが、制御手段が、精度変動している状態の測距手段によって検出された測距距離を基礎として設定される周辺ピント範囲を広く設定するため、この周辺ピント範囲を走査範囲として評価する第１オートフォーカス手段の精度が低下するのを防止することができる。
【００８９】
また、本発明の請求項１２に係る画像入力装置は、請求項９に係る画像入力装置において、前記測距手段によって得られた距離に基づいて前記フォーカス駆動手段を制御し、所定のピント状態を得る第２オートフォーカス手段をさらに備え、前記制御手段は、前記温度検出手段によって検出された温度の経時的変化割合に応じて、前記第１オートフォーカス手段の作動と前記第２オートフォーカス手段の作動とを切り換えることを特徴とする。
【００９０】
このように構成された本発明の請求項１２に係る画像入力装置によれば、制御手段が、温度検出手段によって検出された画像入力装置内の温度の経時的変化割合に応じて、第１オートフォーカス手段の作動と第２オートフォーカス手段の作動とを切り換えるため、例えば、検出された温度に基づく経時的変化割合が変動期間に対応するときは、測距手段の測距精度への依存度が比較的少ない第１オートフォーカス手段の作動に切り換えてコントラストＡＦ動作を行わせ、一方、経時的変化割合が安定期間に対応するときは、第２オートフォーカス手段の作動に切り換えて外光ＡＦ動作を行わせて、温度変動に対するＡＦ精度の低下を適切に防止することができる。
【００９１】
また、本発明の請求項１３に係る画像入力装置は、請求項１２に係る画像入力装置において、前記制御手段は、前記測距手段によって得られた距離に対応するピント状態の周辺ピント範囲で前記評価を行うように、前記第１オートフォーカス手段を制御することを特徴とする。
【００９２】
このように構成された本発明の請求項１３に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【００９３】
また、本発明の請求項１４に係る画像入力装置は、請求項１２又は１３に係る画像入力装置において、前記制御手段は、前記温度の経時的変化割合が、予め設定された所定値よりも大きいときは、前記第１オートフォーカス手段を作動させ、前記所定値よりも小さいときは、前記第２オートフォーカス手段を作動させるように、前記第１オートフォーカス手段の作動と前記第２オートフォーカス手段の作動とを切り換えることを特徴とする。
【００９４】
このように構成された本発明の請求項１４に係る画像入力装置によれば、温度の経時的変化割合が予め設定された所定値より大きいときは、所定値より小さいときよりも、測距手段の測距精度が変動しやすいため、低温安定期間や高温安定期間のように一律な補正によって対応することができないが、この場合は、測距手段の測距精度への依存度が比較的少ない第１オートフォーカス手段を作動させ、温度の経時的変化割合が予め設定された所定値よりも小さい場合は、第２オートフォーカス手段を作動させるように、制御手段が第１オートフォーカス手段の作動と第２オートフォーカス手段の作動とを切り換えるため、画像入力装置内部の温度変動に対するＡＦ精度の低下を適切に防止することができる。
【００９５】
また、本発明に係る第３の画像入力装置は、画像入力装置内の温度分布の不均一性に応じて、コントラストＡＦの動作を適切に制御するものである。
【００９６】
すなわち、本発明の請求項１５に係る画像入力装置は、投影された像を像信号に変換して出力する撮像手段と、前記撮像手段に被写体の像を投影する撮影光学系と、前記被写体までの距離を測定する測距手段と、前記撮影光学系の一部もしくは全部および前記撮像手段のうち少なくとも一方を他方に対して相対的に移動させて前記撮像手段に投影される像のピント状態を変化させるフォーカス駆動手段と、前記フォーカス駆動手段を制御して前記ピント状態を順次変化させつつ、各ピント状態ごとに得られた前記像信号を逐次評価し、この評価に基づいて所定のピント状態を得る第１オートフォーカス手段と、前記第１オートフォーカス手段の作動を制御する制御手段とを備えた画像入力装置において、該画像入力装置内の互いに異なる複数の部位の温度をそれぞれ検出する複数の温度検出手段をさらに備え、前記制御手段は、前記複数の温度検出手段によってそれぞれ検出された温度に基づく前記画像入力装置内の温度分布の不均一性に応じて、前記第１オートフォーカス手段の作動を制御することを特徴とする。
【００９７】
ここで、画像入力装置内の温度分布の不均一性は、測距手段の周辺の温度分布の不均一性であることが好ましい。
【００９８】
測距手段周辺の温度の不均一は、測距手段が検出する被写体までの距離の測距精度に、大きな影響を与えるからである。
【００９９】
このように構成された本発明の請求項１５に係る画像入力装置によれば、複数の温度検出手段によってそれぞれ検出された温度に基づく装置内の温度不均一性に応じて、制御手段が第１オートフォーカス手段の作動を制御することにより、画像入力装置内の温度の不均一性すなわち測距手段の測距精度等に応じて、第１オートフォーカス手段の作動が制御され、第１オートフォーカス手段によるＡＦ動作を適切な精度で行わせることができる。
【０１００】
また、本発明の請求項１６に係る画像入力装置は、請求項１５に係る画像入力装置において、前記制御手段は、前記測距手段によって得られた距離に対応するピント状態の周辺ピント範囲で前記評価を行うように、前記第１オートフォーカス手段を制御するとともに、前記温度分布の不均一性に応じて、前記周辺ピント範囲の広狭を設定することを特徴とする。
【０１０１】
このように構成された本発明の請求項１６に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【０１０２】
また、画像入力装置内の温度の不均一性に応じて、この周辺ピント範囲の広狭が設定されるため、例えば、測距手段等の精度が低下するような温度不均一な状況下では、所定ピント状態を探索するために走査する周辺ピント範囲を広く設定して評価することによって、全域を走査範囲としていれば検出されるべき最適ピント状態の位置が限定された走査範囲から外れて設定されるのを防止することができ、一方、測距手段等の精度が低下しない温度均一な状況下では、走査する周辺ピント範囲を狭く設定して評価することによって、探索時間の短縮を図ることができる。
【０１０３】
なお、制御手段は、第１オートフォーカス手段が評価する際の対象であるピント範囲の広狭を制御するだけでなく、フォーカス駆動手段による撮影光学系等の移動範囲の広狭も併せて制御してもよい。
【０１０４】
このように撮影光学系等の移動範囲の広狭をも同時に制御することにより、撮影光学系等の移動範囲を狭く設定した場合においては、この撮影光学系等の移動に要する時間を短縮することができ、ＡＦ動作完了までのタイムラグを低減することができる。
【０１０５】
また、本発明の請求項１７に係る画像入力装置は、請求項１６に係る画像入力装置において、前記制御手段は、前記温度分布の不均一性を表す指標値が、予め設定された所定値よりも大きいときは、前記周辺ピント範囲を広く設定することを特徴とする。
【０１０６】
ここで、予め設定された所定値は、各温度検出手段によって検出された各温度の値が略同一値となる略均一な状態と、各温度の値が略同一値とはならない不均一な状態とを、明確に画する値をいい、例えば、不均一性を表す指標値として温度の最大値と最小値との差が１０％以下、好ましくは５％以下、最適には２％以下の値などを適用することができる。
【０１０７】
なお、温度の不均一性が低い期間は、温度が安定している安定期間と略一致し、温度の不均一性が高い期間は、温度が大きく変化する変動期間と略一致する。
【０１０８】
そして、安定期間は、具体的には例えば、画像入力装置への電源投入時（Ｔ＝０）から短時間経過（Ｔ＝Ｔ１）までの時間範囲（０≦Ｔ≦Ｔ１；低温安定期間）や、電源投入時から長時間経過（Ｔ＝Ｔ２）した以後の時間範囲（Ｔ２≦Ｔ；高温安定期間）などである。
【０１０９】
すなわち、低温安定期間は、電源投入直後における短時間だけ比較的低温で維持された状態を呈し、高温安定期間は、画像入力装置内の温度が比較的高温でサチレートした状態を呈する。
【０１１０】
そして、具体的には例えば、安定期間が上記低温安定期間（０≦Ｔ≦Ｔ１）および高温安定期間（Ｔ２≦Ｔ）である場合には、変動期間はこれらの間の期間（Ｔ１＜Ｔ＜Ｔ２）となる。
【０１１１】
このように構成された本発明の請求項１７に係る画像入力装置によれば、温度の不均一性を表す指標値が、予め設定された所定値よりも大きいときは、所定値よりも小さいときよりも、測距手段の測距精度が変動しやすいため、低温安定期間や高温安定期間のように一律な補正によって対応することができないが、制御手段が、精度変動している状態の測距手段によって検出された測距距離を基礎として設定される周辺ピント範囲を広く設定するため、この周辺ピント範囲を走査範囲として評価する第１オートフォーカス手段の精度が低下するのを防止することができる。
【０１１２】
また、本発明の請求項１８に係る画像入力装置は、請求項１５に係る画像入力装置において、前記測距手段によって得られた距離に基づいて前記フォーカス駆動手段を制御し、所定のピント状態を得る第２オートフォーカス手段をさらに備え、前記制御手段は、前記複数の温度検出手段によってそれぞれ検出された温度に基づく前記画像入力装置内の温度分布の不均一性に応じて、前記第１オートフォーカス手段の作動と前記第２オートフォーカス手段の作動とを切り換えることを特徴とする。
【０１１３】
このように構成された本発明の請求項１８に係る画像入力装置によれば、制御手段が、複数の温度検出手段によって検出された画像入力装置内の温度に基づく温度の不均一性に応じて、第１オートフォーカス手段の作動と第２オートフォーカス手段の作動とを切り換えるため、例えば、不均一性が高い変動期間に対応するときは、測距手段の測距精度への依存度が比較的少ない第１オートフォーカス手段の作動に切り換えてコントラストＡＦ動作を行わせ、一方、不均一性が低い安定期間に対応するときは、第２オートフォーカス手段の作動に切り換えて外光ＡＦ動作を行わせて、画像入力温度変動に対するＡＦ精度の低下を適切に防止することができる。
【０１１４】
また、本発明の請求項１９に係る画像入力装置は、請求項１８に係る画像入力装置において、前記制御手段は、前記測距手段によって得られた距離に対応するピント状態の周辺ピント範囲で前記評価を行うように、前記第１オートフォーカス手段を制御することを特徴とする。
【０１１５】
このように構成された本発明の請求項１９に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【０１１６】
また、本発明の請求項２０に係る画像入力装置は、請求項１８又は１９に係る画像入力装置において、前記制御手段は、前記温度分布の不均一性を表す指標値が、予め設定された所定値よりも大きいときは、前記第１オートフォーカス手段を作動させ、前記所定値よりも小さいときは、前記第２オートフォーカス手段を作動させるように、前記第１オートフォーカス手段の作動と前記第２オートフォーカス手段の作動とを切り換えることを特徴とする。
【０１１７】
このように構成された本発明の請求項２０に係る画像入力装置によれば、温度の不均一性を表す指標値が予め設定された所定値よりも大きいときは、所定値よりも小さいときよりも、測距手段の測距精度が変動しやすいため、低温安定期間や高温安定期間のように一律な補正によって対応することができないが、この場合は、測距手段の測距精度への依存度が比較的少ない第１オートフォーカス手段を作動させ、温度の不均一性を表す指標値が予め設定された所定値よりも小さい場合は、第２オートフォーカス手段を作動させるように、制御手段が第１オートフォーカス手段の作動と第２オートフォーカス手段の作動とを切り換えるため、画像入力装置内部の温度変動に対するＡＦ精度の低下を適切に防止することができる。
【０１１８】
また、本発明の請求項２１に係る画像入力装置は、請求項１５から２０のうちいずれか１項に係る画像入力装置において、前記複数の温度検出手段のうち少なくとも１つは、前記測距手段近傍部位のうち前記撮像手段に近い側の部位に設けられ、少なくとも他の１つは、前記測距手段近傍部位のうち前記撮像手段から遠い側の部位に設けられていることを特徴とする。
【０１１９】
ここで、画像入力装置を構成する構成要素のうち撮像手段の温度上昇は、装置内部の温度上昇に寄与しやすいため、測距手段近傍部位のうち、撮像手段に近い側の部位の温度と遠い側の部位の温度との不均一性は、画像入力装置内部の温度の不均一性を顕著に反映し、しかもこれらの部位間の温度の不均一性は、測距精度に最も影響を与えやすい。
【０１２０】
したがって、このように構成された本発明の請求項２１に係る画像入力装置によれば、温度の不均一性によって、測距手段による測距精度の信頼性を端的に反映したＡＦ動作を行うことができる。
【０１２１】
また、本発明の請求項２２に係る画像入力装置は、請求項１から２１のうちいずれか１項に係る画像入力装置において、前記測距手段は、前記撮影光学系を通過する光路とは異なる光路を通過した複数の被写体像の位相差に基づいて、前記被写体までの距離を検出するものであることを特徴とする。
【０１２２】
ここで、撮影光学系を通過する光路とは異なる光路を通過した複数の被写体像の位相差に基づいて、被写体までの距離を検出する測距手段とは、具体的には、いわゆるパッシブＡＦ用の測距手段であり、アクティブＡＦ用の測距手段に比べて、測距精度が温度によって変動しやすい。
【０１２３】
したがって、本発明の請求項２２に係る画像入力装置によれば、測距精度が比較的温度の影響を受けやすい測距手段であっても、装置内部の温度状況に対応して適切に精度を確保したＡＦ動作を行うことができる。
【０１２４】
【発明の実施の形態】
以下、本発明に係る画像入力装置の具体的な実施の形態について、図面を参照して説明する。
（実施形態１）
本発明の第１の画像入力装置に係る第１の実施形態（実施形態１）であるデジタルカメラ１００は、図１に示すように、投影された像を像信号に変換して出力する撮像手段１０と、撮像手段１０に被写体２００の像を投影する撮影光学系２０と、被写体２００までの距離を測定する測距手段３０と、撮影光学系２０の一部を光軸方向に移動させて撮像手段１０に投影される像のピント状態を変化させるフォーカス駆動手段４０と、フォーカス駆動手段４０を制御してピント状態を順次変化させつつ、各ピント状態ごとに得られた像信号を逐次評価し、この評価に基づいて所定のピント状態を得る第１オートフォーカス手段５０と、第１オートフォーカス手段５０の作動を制御する制御手段６０と、電源を投入する電源ＳＷ７０と、電源投入からの経過時間Ｔを計時するタイマ８０とを備え、制御手段６０は、測距手段３０によって得られた距離に対応するピント状態の周辺ピント範囲で上記評価を行うように、第１オートフォーカス手段５０を制御するとともに、タイマ８０によって計時された経過時間Ｔに応じて、上記周辺ピント範囲の広狭を設定するように構成されている。
【０１２５】
そして、このデジタルカメラ１００は、詳細には図２に示すように構成されている。
【０１２６】
すなわち、測距センサ３１と測距センサ制御部３２とが測距手段３０として、撮像素子（ＣＣＤ）１１とＡ／Ｄコンバータ１２と画像処理部１３とＬＰＦ（ローパスフィルタ）１４とが撮像手段１０として、鏡胴ユニット２１とズームレンズ群２２とフォーカスレンズ群２３とが撮影光学系２０として、フォーカス駆動系４１がフォーカス駆動手段４０として、システムコントローラ６１とメモリ群６３とが第１オートフォーカス手段５０、タイマ８０および制御手段６０として、それぞれ対応している。
【０１２７】
また、このデジタルカメラ１００の筐体１の内部には、上述した構成に加えて、撮影条件や表示条件等各種の設定情報が入力されるカメラ操作部６５と、撮像素子１１に投影されシステムコントローラ６１に入力されたデジタル信号が表す可視像やカメラ操作部６５で設定された各種の情報等を表示する表示部６６と、撮影字の補助光を発光するストロボ発光部６８およびこのストロボ発光部６８の発光を制御するストロボ制御部６７と、ズームレンズ群２２を駆動するズーム駆動系６４と、絞り６９を駆動するシャッタ・絞り駆動系６２と、レリーズ押圧部２と、レリーズ押圧部２の半押し状態を検出する半押し検出部３と、レリーズ押圧部２の全押し状態を検出する全押し検出部４とが収容されている。
【０１２８】
ここで、フォーカス駆動系４１はフォーカスレンズ群２３を光軸方向に移動させ、ズーム駆動系６４はズームレンズ群２２を光軸方向に移動させる。また、シャッタ・絞り駆動系６２は、ズームレンズ群２２とフォーカスレンズ群２３との間に配された絞り６９の開度を調整する。
【０１２９】
なお、フォーカスレンズ群２３の移動距離ΔＸは、所定の周波数で発振するパルスの数Ｍに対応して設定されており、パルス数Ｍが大きくなるに従って移動距離ΔＸは大きくなる。
【０１３０】
Ａ／Ｄコンバータ１２は、ＣＣＤ１１から出力されたアナログ信号をデジタル信号化し、画像処理部１３は、デジタル信号を信号処理してシステムコントローラ６１に入力する。
【０１３１】
ストロボ発光部６８は、ストロボ制御部６７を介してシステムコントローラ６１に接続され、半押し検出部３および全押し検出部４はそれぞれシステムコントローラ６１に直接接続されている。
【０１３２】
システムコントローラ６１に接続されたメモリ群６３には、撮影条件等に応じてシステムコントローラ６１が制御する各種作動に用いる設定値等が記憶され、あるいはシステムコントローラ６１から送出された情報を書換え可能に一時的に記憶する。また、このメモリ群６３には、撮影された被写体像を表すデジタル信号を記憶する着脱可能のスマートメディアやコンパクトフラッシュ（登録商標）等の外部メモリも含まれる。
【０１３３】
測距センサ３１は、図３（ａ）に示すように、２眼レンズと、この２眼レンズの各レンズに対応して設けられた絞りと、各絞りの後方にそれぞれ設けられたラインセンサであるＣＣＤとからなり、同図（ｂ）に示すように、各ＣＣＤにそれぞれ投影された被写体２００の像間の位相差に基づいて、測距センサ制御部３２が被写体までの距離を測定している。
【０１３４】
システムコントローラ６１の第１オートフォーカス手段５０は、図４（ａ）に示すように、フォーカスレンズ群２３の可動範囲（ＸＳ〜ＸＥ）の全域を走査範囲として移動させつつ、フォーカスレンズ群２３の各位置Ｘにおける被写体像のコントラストＣを算出し、全域走査後に最大のコントラストＣｍａｘが得られる位置ＸＢを最適ピント状態の位置すなわち最適焦点位置として決定し、改めてこの位置ＸＢにフォーカスレンズ群２３を移動させるように、フォーカス駆動系４１を制御するＣＣＤＡＦを行うが、同じくシステムコントローラ６１の制御手段６０によって、その走査範囲は、フォーカスレンズ群２３の可動範囲の全域より狭くも限定される。
【０１３５】
すなわち、制御手段６０は、図４（ｂ）に示すように、測距手段３０によって得られた被写体２００までの距離に対応するフォーカスレンズ群２３の位置ＸＡを算出し、上述したＣＣＤＡＦを行う際は、この位置ＸＡを中心として±ΔＸの走査範囲（ＸＡ−ΔＸ〜ＸＡ＋ΔＸ）を周辺ピント範囲と設定し、この周辺ピント範囲を走査範囲とするように、第１オートフォーカス手段５０を制御する。
【０１３６】
さらに、制御手段６０が設定する上記走査範囲（ＸＡ−ΔＸ〜ＸＡ＋ΔＸ）は、タイマ８０によって計時された経過時間Ｔに応じて変化する。
【０１３７】
すなわち、経過時間Ｔが所定時間範囲（Ｔ１＜Ｔ＜Ｔ２）にあるときは、この所定時間範囲以外の範囲（Ｔ≦Ｔ１またはＴ２≦Ｔ）にあるときよりも、走査範囲が広くなるように設定される。具体的な設定は、フォーカスレンズ群２３の移動距離ΔＸが依存するパルス数Ｍによって行われ、所定時間範囲（Ｔ１＜Ｔ＜Ｔ２）のときのパルス数Ｍは１０パルス、所定時間範囲以外の範囲（Ｔ≦Ｔ１またはＴ２≦Ｔ）のときのパルス数Ｍは６パルスに設定されている。
【０１３８】
なお、この走査範囲の広狭を規定する具体的な値は、このパルス数Ｍに限定されるものでないことはいうまでもない。
【０１３９】
ここで、上述した所定時間範囲を規定する経過時間Ｔ１，Ｔ２について説明する。
【０１４０】
まず、制御手段６０が設定するＣＣＤＡＦにおける走査範囲（ＸＡ−ΔＸ〜ＸＡ＋ΔＸ）の中心値ＸＡは、測距センサ３１により検出された値に基づくものであるところ、測距センサ３１は、その周辺温度ｔによって測距値（被写体までの距離）が変化する。
【０１４１】
このため、測距センサ３１による測距値は、測距センサ３１の周辺温度ｔが所定温度のときの状態を基準に設定され、例えば周辺温度ｔが上昇したときには、その温度に応じて制御手段６１が測距値を補正するように設定されている。
【０１４２】
しかし、測距センサ３１の周辺温度ｔは図５に示すように、デジタルカメラ１００の電源ＳＷ７０がオンになる以前は、デジタルカメラ１００の雰囲気温度（室温等）で安定している（低温安定期間）が、電源ＳＷ７０がオンとなり電源が投入されると、この電源投入の直後（Ｔ＝Ｔ１）から、撮像素子１１やその他の電気回路の発熱によって急激に上昇し（温度変動期間）、さらに所定時間（Ｔ＝Ｔ２）経過すると、筐体１の内部の温度がある程度安定し、測距センサ３１の周辺温度ｔも安定する（高温安定期間）。
【０１４３】
したがって、測距センサ３１の周辺温度ｔが、低温で安定しているとき（低温安定期間）や高温で安定しているとき（高温安定期間）は、その温度に応じて所定の補正を行うことで測距センサ３１による測距値の信頼性を確保することができるが、時間の経過に対する温度ｔの変化割合が急激（例えば、単位時間当たりの温度変動率が５％超えの場合等）である温度変動期間では、所定の補正値を設定することできず、結果的に測距の信頼性が低下している期間となる。
【０１４４】
このように、上記経過時間Ｔ１は低温安定期間と温度変動期間とを画する時間として、経過時間Ｔ２は温度変動期間と高温安定期間とを画する時間として、それぞれ予め実験的に求めて設定されている。
【０１４５】
次に、本実施形態１に係るデジタルカメラ１００の作用について、図６に示したフローチャートを参照して説明する。
【０１４６】
まず、撮影者は、このデジタルカメラ１００の電源ＳＷ７０をオンに切り換えて電源を投入し（＃１）、デジタルカメラ１００を被写体２００に向けて撮影準備を整える。
【０１４７】
このとき、システムコントローラ６１のタイマ８０が計時を開始し（＃２）、電源ＳＷ７０がオンに切り換えられてからの経過時間Ｔを計測し始める。なお、経過時間Ｔの初期値はゼロに設定されている。
【０１４８】
さらに、システムコントローラ６１は、メモリ群６３からＣＣＤＡＦの走査範囲の広狭を切り換えるための経過時間Ｔの閾値Ｔ１，Ｔ２を読み込み（＃３）、レリーズ押圧部２が押圧されるのを待つ（＃４）。
【０１４９】
撮影者が撮影意図によってレリーズ押圧部２を押下すると、レリーズ押圧部２は、半押し位置を通過した後に全押し位置まで押下されるが、まず、ＡＦ動作のために半押し位置まで押下されると、半押し検出部３がレリーズ押圧部２の半押し状態を検出し（＃４）、システムコントローラ６１に検出結果を送出する。
【０１５０】
なお、必要に応じて被写体２００にズームアップする場合は、カメラ操作部６５を操作して、システムコントローラ６１によりズーム駆動系６４を制御し、このズーム駆動系６４によってズームレンズ群２２を駆動させればよい。
【０１５１】
システムコントローラ６１は、半押し状態の検出結果の入力を受けて、その時点におけるズームレンズ群２２のズーム位置、絞り６９の開放状態（絞り値）、カメラ操作部６５に設定されている画質モード等を読み込む（＃５）とともに、測距センサ３１による測距を開始させる。
【０１５２】
そして、システムコントローラ６１は、測距センサ３１による測距が可能か否かを、測距センサ制御部３２からの入力によって判定する（＃６）。具体的には、例えば被写体が三角測量の原理では適切に距離を算出できないような繰返し模様を有するもの等であるときは、測距センサ制御部３２は適切な距離を算出することができず、この場合は、測距センサ制御部３２から測距ＮＧの信号がシステムコントローラ６１に入力され、一方、適切に距離を算出できた場合は、その測距距離がシステムコントローラ６１に入力されるため、システムコントローラ６１はその入力によって測距の可否を判定することができる。
【０１５３】
ここで、システムコントローラ６１の制御手段６０は、測距判定がＯＫの場合は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定し、一方、測距判定がＮＧの場合は、測距センサ制御部３２から測距距離が入力されないためこの中心値ＸＡを設定できず、したがって、第１オートフォーカス手段５０の走査範囲をフォーカスレンズ群２３の可動範囲の全域（ＸＳ〜ＸＥ）に設定する。
【０１５４】
測距判定がＮＧの場合は続けて、第１オートフォーカス手段５０が、図４（ａ）に示す走査範囲（ＸＳ〜ＸＥ）について、フォーカス駆動系４１を制御してＣＣＤＡＦを行う（＃１５）。
【０１５５】
そして、コントラストＣの最大値（ピーク）Ｃｍａｘが得られたとき（＃１６）は、第１オートフォーカス手段５０は、そのコントラストＣの最大値Ｃｍａｘが得られた位置ＸＢにフォーカスレンズ群２３を移動させるようにフォーカス駆動系４１を制御して（＃１７）最適なピント状態を得、レリーズ押圧部２が全押しされるのを待つ（＃１９，＃２１）。
【０１５６】
そして、レリーズ押圧部２が全押しされたとき（＃１９）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ５（＃５）において読み込まれた各種条件にしたがって絞り６９を閉じてシャッタを切り、撮影が実行される（＃２０）。
【０１５７】
一方、レリーズ押圧部２が全押しされるのを待っている間（＃１９，＃２１）に、撮影者が撮影動作を中止したとき、すなわちレリーズ押圧部２が全押しされることなく、半押し状態から解除されたとき（＃２１）は、ステップ４（＃４）に戻って、次に半押し状態が検出されるのを待つ（＃４）。
【０１５８】
また、被写体２００を含む構図全体が暗い場合等特殊な条件下では、ステップ１５（＃１５）におけるＣＣＤＡＦ動作によっても、コントラストＣの最大値Ｃｍａｘを検出することができない場合（＃１６）があり、この場合は、ＣＣＤＡＦ動作によっては最適なピント状態を得ることができないため、被写界深度が深くなる位置（常焦点位置）にフォーカスレンズ群２３を移動させるように、フォーカス駆動系４１を制御して（＃１８）、レリーズ押圧部２が全押しされるのを待つ（＃１９，＃２１）。
【０１５９】
次に、測距判定がＯＫの場合（＃６）は、システムコントローラ６１は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定するが、さらにシステムコントローラ６１は、タイマ８０による経過時間Ｔが、温度安定期間（Ｔ≦Ｔ１またはＴ２≦Ｔ）にあるか、温度変動期間（Ｔ１＜Ｔ＜Ｔ２）にあるかを判定する（＃７，＃８）。
【０１６０】
そして、経過時間Ｔが温度安定期間にあると判定したときは、測距センサ制御部３２による測距距離がある程度信頼性が高いものであると判定し、第１オートフォーカス手段５０の限定走査範囲（ＸＡ−ΔＸ〜ＸＡ＋ΔＸ）の広狭を規定するパルス数Ｍを、比較的少ない±６パルスに設定する（＃１０）。この結果、限定走査範囲の幅は狭くなる。
【０１６１】
一方、経過時間Ｔが温度変動期間にあると判定したときは、測距センサ制御部３２による測距距離が信頼性が比較的低いものであると判定し、第１オートフォーカス手段５０の限定走査範囲（ＸＡ−ΔＸ〜ＸＡ＋ΔＸ）の広狭を規定するパルス数Ｍを、±１０パルスに設定する（＃９）。この結果、限定走査範囲の幅は広くなる。
【０１６２】
このようにして、システムコントローラ６１の制御部６０が設定した限定走査範囲（図４（ｂ））について、第１オートフォーカス手段５０がフォーカス駆動系４１を制御してＣＣＤＡＦを行う（＃１１）。
【０１６３】
そして、この限定走査範囲でのコントラストＣの最大値（ピーク）Ｃｍａｘが得られたとき（＃１２）は、第１オートフォーカス手段５０は、そのコントラストＣの最大値Ｃｍａｘが得られた位置ＸＢにフォーカスレンズ群２３を移動させるようにフォーカス駆動系４１を制御して（＃１３）最適なピント状態を得、レリーズ押圧部２が全押しされるのを待つ（＃１９，＃２１）。
【０１６４】
そして、レリーズ押圧部２が全押しされたとき（＃１９）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ５（＃５）において読み込まれた各種条件にしたがって絞り６９を閉じてシャッタを切り、撮影が実行される（＃２０）。
【０１６５】
なお、撮影の実行に際しては、必要に応じて、あるいはカメラ操作部６５に設定された条件にしたがって、システムコントローラ６１がストロボ制御部６７を制御し、ストロボ発光部６８が撮影補助光としてのストロボ光を発光させる。
【０１６６】
一方、レリーズ押圧部２が全押しされるのを待っている間（＃１９，＃２１）に、撮影者が撮影動作を中止したとき、すなわちレリーズ押圧部２が全押しされることなく、半押し状態から解除されたとき（＃２１）は、ステップ４（＃４）に戻って、次に半押し状態が検出されるのを待つ（＃４）。
【０１６７】
また、被写体２００を含む構図全体が暗い場合等特殊な条件下では、ステップ１１（＃１１）におけるＣＣＤＡＦ動作によっても、コントラストＣの最大値Ｃｍａｘを検出することができない場合（＃１２）があり、この場合は、ＣＣＤＡＦ動作によっては最適なピント状態を得ることができないため、システムコントローラ６１は、測距センサ制御部３２から入力された位置ＸＡに、フォーカスレンズ群２３を移動させるように、フォーカス駆動系４１を制御して（＃１４）、レリーズ押圧部２が全押しされるのを待つ（＃１９，＃２１）。
【０１６８】
なお、このステップ１４（＃１４）におけるＡＦ動作は、いわゆる外光ＡＦ動作と同じである。
【０１６９】
また、システムコントローラ６１が、タイマ８０による経過時間Ｔが温度安定期間（Ｔ≦Ｔ１またはＴ２≦Ｔ）にあると判定したとき（＃７，＃８）は、さらに詳しくは、この温度安定期間が低温安定期間である場合（＃７）には、低温安定期間を表すフラグを立て、高温安定期間である場合（＃８）には、高温安定期間を表すフラグを立てており、ステップ１１（＃１１）においてＣＣＤＡＦ動作を行う限定走査範囲を決定する際に、これらのフラグに応じて、限定走査範囲の中心位置ＸＡを補正するようにしている。
【０１７０】
すなわち、低温安定期間および高温安定期間では、測距センサ３１による検出値は各期間内ではばらつかないものの、低温安定期間における検出値と高温安定期間における検出値とでは異なる値となるため、少なくとも一方の温度安定期間における検出値を補正するのが好ましい。
【０１７１】
そこで、例えば、低温安定期間における検出値を基準として設定している場合には、高温安定期間のフラグが立っている場合にのみ検出値を補正し、高温安定期間における検出値を基準として設定している場合には、低温安定期間のフラグが立っている場合にのみ検出値を補正し、低温安定期間と高温安定期間との中間温度における検出値を基準として設定している場合には、低温安定期間のフラグが立っている場合も高温安定期間のフラグが立っている場合も、それぞれの温度安定期間ごとに対応して設定された補正値によって検出値を補正すればよい。
【０１７２】
この温度に対応した検出値の補正は、伝統的なフイルムカメラ等の測距手段に用いられている補正方法をそのまま適用することができ、補正値等はメモリ群６３に予め記憶されており、システムコントローラ６１が、メモリ群６３からこの補正値を読み出して、上述した補正処理を行なうものとすればよい。
【０１７３】
以上説明したように、本実施形態１に係るデジタルカメラ１００によれば、タイマ８０によって計時された経過時間Ｔに応じて、制御手段６０が第１オートフォーカス手段５０の作動を制御することにより、測距センサ３１の測距精度の信頼性に応じて、第１オートフォーカス手段５０の作動が制御され、第１オートフォーカス手段５０によるＡＦ動作を適切な精度で行わせることができる。
【０１７４】
すなわち、測距センサ３１の精度の信頼性が低下する温度変動期間では、ＣＣＤＡＦ動作の限定走査範囲を広く設定することによって、全域（ＸＳ〜ＸＥ）を走査範囲としていれば検出されるべき最適ピント状態の位置が限定された走査範囲から外れて設定されるのを防止することができ、一方、測距センサ３１の精度の信頼性が低下しない温度安定期間では、限定走査範囲を狭く設定することによって、最適ピント状態を探索する探索時間を短縮することができる。
（変形例）
上述した実施形態１に係るデジタルカメラ１００においては、少なくとも電源投入時におけるデジタルカメラ１００内の初期温度ｔ０を検出する温度検出手段をさらに備え、制御手段６０が、温度変動期間と高温安定期間とを画するものとして設定された経過時間Ｔ２を、温度検出手段によって検出された初期温度ｔ０に応じて遅延させる（繰り下げる）ものとしてもよい。
【０１７５】
すなわち、上述した実施形態１のデジタルカメラ１００においては、初期温度ｔ０に拘わらず経過時間Ｔ２は一定として取り扱っているが、本願発明者らの実験によれば、図７に示すように、初期温度ｔ０に拘わらず低温安定期間の終期（温度変動期間の始期）である経過時間Ｔ１は略一定であるものの、温度変動期間の終期である経過時間Ｔ２は、初期温度ｔ０によって変動し、初期温度ｔ０が低い程、変動期間が長くなって経過時間Ｔ２はより遅い時間となり、初期温度ｔ０が高い程、変動期間が短くなって経過時間Ｔ２はより早い時間となることが判明した。
【０１７６】
そこで、温度検出手段によって検出された初期温度ｔ０が低いときは、制御手段６０が経過時間Ｔ２を遅延させるようにすればよい。
【０１７７】
このように構成された変形例に係るデジタルカメラによれば、デジタルカメラの内部温度の温度変動期間と温度安定期間とを一層精度よく画することができ、測距手段３０の精度変動によるＡＦ精度の低下を確実に防止することができる。
【０１７８】
なお、初期温度ｔ０が低いときを基準として、温度検出手段によって検出された初期温度ｔ０が高いときは、制御手段６０が経過時間Ｔ２を繰り上げるようにしてもよい。
（実施形態２）
本発明の第１の画像入力装置に係る第２の実施形態（実施形態２）であるデジタルカメラ１００は、図８に示すように、投影された像を像信号に変換して出力する撮像手段１０と、撮像手段１０に被写体２００の像を投影する撮影光学系２０と、被写体２００までの距離を測定する測距手段３０と、撮影光学系２０の一部を光軸方向に移動させて撮像手段１０に投影される像のピント状態を変化させるフォーカス駆動手段４０と、フォーカス駆動手段４０を制御してピント状態を順次変化させつつ、各ピント状態ごとに得られた像信号を逐次評価し、この評価に基づいて所定のピント状態を得る第１オートフォーカス手段５０と、測距手段３０によって得られた距離に基づいてフォーカス駆動手段４０を制御し、所定のピント状態を得る第２オートフォーカス手段９０と、第１オートフォーカス手段５０の作動と第２オートフォーカス手段９０の作動とを制御する制御手段６０と、電源を投入する電源ＳＷ７０と、電源投入からの経過時間Ｔを計時するタイマ８０とを備え、制御手段６０は、タイマ８０によって計時された経過時間Ｔに応じて、第１オートフォーカス手段５０の作動と第２オートフォーカス手段９０の作動とを択一的に切り換えるように構成されている。
【０１７９】
そして、このデジタルカメラ１００は、詳細には図２に示すように構成されている。
【０１８０】
すなわち、測距センサ３１と測距センサ制御部３２とが測距手段３０として、撮像素子（ＣＣＤ）１１とＡ／Ｄコンバータ１２と画像処理部１３とＬＰＦ（ローパスフィルタ）１４とが撮像手段１０として、鏡胴ユニット２１とズームレンズ群２２とフォーカスレンズ群２３とが撮影光学系２０として、フォーカス駆動系４１がフォーカス駆動手段４０として、システムコントローラ６１とメモリ群６３とが第１オートフォーカス手段５０、第２オートフォーカス手段９０、タイマ８０および制御手段６０として、それぞれ対応している。
【０１８１】
なお、本実施形態２のデジタルカメラ１００と前述した実施形態１のデジタルカメラ１００とは、システムコントローラ６１の機能が異なる以外は同一の構成であるため、システムコントローラ６１の機能以外については、説明を省略する。
【０１８２】
システムコントローラ６１の第１オートフォーカス手段５０は、図４（ａ）に示すように、フォーカスレンズ群２３の可動範囲（ＸＳ〜ＸＥ）の全域を走査範囲として移動させつつ、フォーカスレンズ群２３の各位置Ｘにおける被写体像のコントラストＣを算出し、全域走査後に最大のコントラストＣｍａｘが得られる位置ＸＢを最適ピント状態の位置すなわち最適焦点位置として決定し、改めてこの位置ＸＢにフォーカスレンズ群２３を移動させるように、フォーカス駆動系４１を制御するＣＣＤＡＦを行うが、同じくシステムコントローラ６１の制御手段６０によって、その走査範囲は、フォーカスレンズ群２３の可動範囲の全域よりも狭く限定される。
【０１８３】
すなわち、制御手段６０は、図４（ｂ）に示すように、測距手段３０によって得られた被写体２００までの距離に対応するフォーカスレンズ群２３の位置ＸＡを算出し、上述したＣＣＤＡＦを行う際は、この位置ＸＡを中心として±ΔＸの走査範囲（ＸＡ−ΔＸ〜ＸＡ＋ΔＸ）を周辺ピント範囲と設定し、この周辺ピント範囲を走査範囲とするように、第１オートフォーカス手段５０を制御する。
【０１８４】
また、システムコントローラ６１の第２オートフォーカス手段９０は、測距手段３０によって得られた被写体までの距離に基づいて、この距離に対応した被写体２００の像が撮像素子１１上で最適なピント状態で結像するのに必要なフォーカスレンズ群２３の位置ＸＡを算出し、フォーカスレンズ群２３の位置が、この算出された位置ＸＡになるように、フォーカス駆動系４１を制御するいわゆる外光ＡＦ動作を行うオートフォーカス手段であり、第１オートフォーカス手段によるＡＦ動作（ＣＣＤＡＦ）よりも、測距手段３０の測距精度への依存度が高い。
【０１８５】
そして、制御手段６０は、タイマ８０によって計時された経過時間Ｔが所定時間範囲（Ｔ１＜Ｔ＜Ｔ２）にあるときは、ＡＦ動作を第１オートフォーカス手段５０によるＣＣＤＡＦ動作となるように、所定時間範囲以外の範囲（Ｔ≦Ｔ１またはＴ２≦Ｔ）にあるときは、ＡＦ動作を第２オートフォーカス手段９０による外光ＡＦ動作となるように、両オートフォーカス手段５０，９０を切換制御する。
【０１８６】
ここで、上述した所定時間範囲を規定する経過時間Ｔ１，Ｔ２については、実施形態１において説明したものと同一である。
【０１８７】
すなわち、測距センサ３１の周辺温度ｔが、低温で安定しているとき（低温安定期間）や高温で安定しているとき（高温安定期間）は、その安定している温度に応じて所定の補正を行うことで測距センサ３１による測距値の信頼性を確保することができるため、第２オートフォーカス手段９０による外光ＡＦ動作を選択し、時間の経過に対する温度ｔの変化割合が急激（例えば、単位時間当たりの温度変動率が５％超えの場合等）である温度変動期間では、特定の補正値を設定することできず、結果的に測距の信頼性が低下しているため、測距センサ３１の測距値への依存度が外光ＡＦ動作よりも相対的に低い第１オートフォーカス手段５０によるＣＣＤＡＦ動作を選択するものである。
【０１８８】
次に、本実施形態２に係るデジタルカメラ１００の作用について、図９に示したフローチャートを参照して説明する。
【０１８９】
まず、撮影者は、このデジタルカメラ１００の電源ＳＷ７０をオンに切り換えて電源を投入し（＃２１）、デジタルカメラ１００を被写体２００に向けて撮影準備を整える。
【０１９０】
このとき、システムコントローラ６１のタイマ８０が計時を開始し（＃２２）、電源ＳＷ７０がオンに切り換えられてからの経過時間Ｔを計測し始める。なお、経過時間Ｔの初期値はゼロに設定されている。
【０１９１】
さらに、システムコントローラ６１は、メモリ群６３から、ＣＣＤＡＦ動作と外光ＡＦ動作とを択一的に切り換えるための経過時間Ｔの閾値Ｔ１，Ｔ２を読み込み（＃２３）、レリーズ押圧部２が押圧されるのを待つ（＃２４）。
【０１９２】
撮影者が撮影意図によってレリーズ押圧部２を押下すると、レリーズ押圧部２は、半押し位置を通過した後に全押し位置まで押下されるが、まず、ＡＦ動作のために半押し位置まで押下されると、半押し検出部３がレリーズ押圧部２の半押し状態を検出し（＃２４）、システムコントローラ６１に検出結果を送出する。
【０１９３】
なお、必要に応じて被写体２００にズームアップする場合は、カメラ操作部６５を操作して、システムコントローラ６１によりズーム駆動系６４を制御し、このズーム駆動系６４によってズームレンズ群２２を駆動させればよい。
【０１９４】
システムコントローラ６１は、半押し状態の検出結果の入力を受けて、その時点におけるズームレンズ群２２のズーム位置、絞り６９の開放状態（絞り値）、カメラ操作部６５に設定されている画質モード等を読み込む（＃２５）とともに、測距センサ３１による測距を開始させる。
【０１９５】
そして、システムコントローラ６１は、測距センサ３１による測距が可能か否かを、測距センサ制御部３２からの入力によって判定する（＃２６）。具体的には、例えば被写体が三角測量の原理では適切に距離を算出できないような繰返し模様を有するもの等であるときは、測距センサ制御部３２は適切な距離を算出することができず、この場合は、測距センサ制御部３２から測距ＮＧの信号がシステムコントローラ６１に入力され、一方、適切に距離を算出できた場合は、その測距距離がシステムコントローラ６１に入力されるため、システムコントローラ６１はその入力によって測距の可否を判定することができる。
【０１９６】
ここで、システムコントローラ６１の制御手段６０は、測距判定がＯＫの場合は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定するとともに、この中心値ＸＡを挟んだ周辺ピント範囲（ＸＡ±ΔＸ）を、ＣＣＤＡＦの限定走査範囲として設定する。
【０１９７】
一方、測距判定がＮＧの場合は、システムコントローラ６１には測距センサ制御部３２から測距距離が入力されないためこの中心値ＸＡを設定できず、したがって、第１オートフォーカス手段５０の走査範囲をフォーカスレンズ群２３の可動範囲の全域（ＸＳ〜ＸＥ）に設定する。
【０１９８】
測距判定がＮＧの場合は続けて、第１オートフォーカス手段５０が、走査範囲（ＸＳ〜ＸＥ）について、フォーカス駆動系４１を制御してＣＣＤＡＦを行う（＃３３）。
【０１９９】
そして、コントラストＣの最大値（ピーク）Ｃｍａｘが得られたとき（＃３４）は、第１オートフォーカス手段５０は、そのコントラストＣの最大値Ｃｍａｘが得られた位置ＸＢにフォーカスレンズ群２３を移動させるようにフォーカス駆動系４１を制御して（＃３５）最適なピント状態を得、レリーズ押圧部２が全押しされるのを待つ（＃３７，＃３９）。
【０２００】
そして、レリーズ押圧部２が全押しされたとき（＃３７）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ２５（＃２５）において読み込まれた各種条件にしたがって絞り６９を閉じてシャッタを切り、撮影が実行される（＃３８）。
【０２０１】
一方、レリーズ押圧部２が全押しされるのを待っている間（＃３７，＃３９）に、撮影者が撮影動作を中止したとき、すなわちレリーズ押圧部２が全押しされることなく、半押し状態から解除されたとき（＃３９）は、ステップ２４（＃２４）に戻って、次に半押し状態が検出されるのを待つ（＃２４）。
【０２０２】
また、被写体２００を含む構図全体が暗い場合等特殊な条件下では、ステップ３３（＃３３）におけるＣＣＤＡＦ動作によっても、コントラストＣの最大値Ｃｍａｘを検出することができない場合（＃３４）があり、この場合は、ＣＣＤＡＦ動作によっては最適なピント状態を得ることができないため、被写界深度が深くなる位置（常焦点位置）にフォーカスレンズ群２３を移動させるように、フォーカス駆動系４１を制御して（＃３６）、レリーズ押圧部２が全押しされるのを待つ（＃３７，＃３９）。
【０２０３】
次に、測距判定がＯＫの場合（＃２６）は、システムコントローラ６１は、ＣＣＤＡＦの限定走査範囲を設定するが、さらにシステムコントローラ６１は、タイマ８０による経過時間Ｔが、温度安定期間（Ｔ≦Ｔ１またはＴ２≦Ｔ）にあるか、温度変動期間（Ｔ１＜Ｔ＜Ｔ２）にあるかを判定する（＃２７，＃２８）。
【０２０４】
そして、経過時間Ｔが温度安定期間にあると判定したときは、測距センサ制御部３２による測距距離がある程度信頼性が高いものであると判定し、この測距センサ３２の測距精度への依存度が相対的に高い、第２オートフォーカス手段９０による外光ＡＦ動作に切り換え、経過時間Ｔが温度変動期間にあると判定したときは、測距センサ制御部３２による測距距離が相対的に信頼性が低いものであると判定し、この測距センサ３２の測距精度への依存度が相対的に低い、第１オートフォーカス手段５０によるＣＣＤＡＦ動作に切り換える（＃２７，＃２８）。
【０２０５】
このようにして、温度変動期間に対応してＣＣＤＡＦ動作に切り換えられたときは、システムコントローラ６１の制御部６０が設定した限定走査範囲について、第１オートフォーカス手段５０がフォーカス駆動系４１を制御してＣＣＤＡＦを行う（＃２９）。
【０２０６】
そして、この限定走査範囲でのコントラストＣの最大値（ピーク）Ｃｍａｘが得られたとき（＃３０）は、第１オートフォーカス手段５０は、そのコントラストＣの最大値Ｃｍａｘが得られた位置ＸＢにフォーカスレンズ群２３を移動させるようにフォーカス駆動系４１を制御して（＃３１）最適なピント状態を得、レリーズ押圧部２が全押しされるのを待つ（＃３７，＃３９）。
【０２０７】
そして、レリーズ押圧部２が全押しされたとき（＃３７）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ２５（＃２５）において読み込まれた各種条件にしたがって絞り６９を閉じてシャッタを切り、撮影が実行される（＃３８）。
【０２０８】
なお、撮影の実行に際しては、必要に応じて、あるいはカメラ操作部６５に設定された条件にしたがって、システムコントローラ６１がストロボ制御部６７を制御し、ストロボ発光部６８が撮影補助光としてのストロボ光を発光させる。
【０２０９】
一方、レリーズ押圧部２が全押しされるのを待っている間（＃３７，＃３９）に、撮影者が撮影動作を中止したとき、すなわちレリーズ押圧部２が全押しされることなく、半押し状態から解除されたとき（＃３９）は、ステップ２４（＃２４）に戻って、次に半押し状態が検出されるのを待つ（＃２４）。
【０２１０】
また、被写体２００を含む構図全体が暗い場合等特殊な条件下では、ステップ２９（＃２９）におけるＣＣＤＡＦ動作によっても、コントラストＣの最大値Ｃｍａｘを検出することができない場合（＃３０）があり、この場合は、ＣＣＤＡＦ動作によっては最適なピント状態を得ることができないため、システムコントローラ６１は、第２オートフォーカス手段９０による外光ＡＦ動作に切り換える（＃３０）。
【０２１１】
そして、経過時間Ｔが温度安定期間にあると判定して第２オートフォーカス手段９０による外光ＡＦ動作に切り換えたとき（＃２７，＃２８）、またはＣＣＤＡＦ動作によっては最適なピント状態を得ることができないため、第２オートフォーカス手段９０による外光ＡＦ動作に切り換えたとき（＃３０）、第２オートフォーカス手段９０は、測距センサ制御部３２から入力された位置ＸＡに、フォーカスレンズ群２３を移動させるように、フォーカス駆動系４１を制御して（＃３２）、レリーズ押圧部２が全押しされるのを待つ（＃３７，＃３９）。
【０２１２】
なお、システムコントローラ６１が、タイマ８０による経過時間Ｔが温度安定期間（Ｔ≦Ｔ１またはＴ２≦Ｔ）にあると判定したとき（＃２７，＃２８）は、さらに詳しくは、この温度安定期間が低温安定期間である場合（＃２７）には、低温安定期間を表すフラグを立て、高温安定期間である場合（＃２８）には、高温安定期間を表すフラグを立てており、ステップ３２（＃３２）において外光ＡＦ動作を行う位置ＸＡを補正するようにしている。
【０２１３】
すなわち、低温安定期間および高温安定期間では、測距センサ３１による検出値は各期間内ではばらつかないものの、低温安定期間における検出値と高温安定期間における検出値とでは異なる値となるため、少なくとも一方の温度安定期間における検出値を補正するのが好ましい。
【０２１４】
そこで、例えば、低温安定期間における検出値を基準として設定している場合には、高温安定期間のフラグが立っている場合にのみ検出値を補正し、高温安定期間における検出値を基準として設定している場合には、低温安定期間のフラグが立っている場合にのみ検出値を補正し、低温安定期間と高温安定期間との中間温度における検出値を基準として設定している場合には、低温安定期間のフラグが立っている場合も高温安定期間のフラグが立っている場合も、それぞれの温度安定期間ごとに対応して設定された補正値によって検出値を補正すればよい。
【０２１５】
この温度に対応した検出値の補正は、伝統的なフイルムカメラ等の測距手段に用いられている補正方法をそのまま適用することができ、補正値等はメモリ群６３に予め記憶されており、システムコントローラ６１が、メモリ群６３からこの補正値を読み出して、上述した補正処理を行なうものとすればよい。
【０２１６】
以上説明したように、本実施形態２に係るデジタルカメラ１００によれば、タイマ８０によって計時された経過時間Ｔに応じて、制御手段６０が第１オートフォーカス手段５０の作動と第２オートフォーカス手段９０の作動とを択一的に切り換える制御を行うことにより、測距センサ３１の測距精度の信頼性に応じて、第１オートフォーカス手段５０によるＣＣＤＡＦ動作、または第２オートフォーカス手段９０による外光ＡＦ動作が行われ、両オートフォーカス手段５０，９０によるＡＦ動作を適切な精度で行わせることができる。
【０２１７】
すなわち、測距センサ３１の精度の信頼性が低下する温度変動期間では、ＡＦ精度の高いＣＣＤＡＦ動作を選択することによって、測距センサ３１の信頼性低下による最適ピント状態の誤探索を防止することができ、一方、測距センサ３１の精度の信頼性が低下しない温度安定期間では、ＡＦ動作速度の速い外光ＡＦ動作を選択することによって、最適ピント状態を探索する探索時間を短縮することができる。
【０２１８】
なお、本実施形態２のデジタルカメラ１００においても、実施形態１のデジタルカメラの変形例と同様に、少なくとも電源投入時におけるデジタルカメラ１００内の初期温度ｔ０を検出する温度検出手段をさらに備え、制御手段６０が、温度変動期間と高温安定期間とを画するものとして設定された経過時間Ｔ２を、温度検出手段によって検出された初期温度ｔ０に応じて遅延させる（繰り下げる）ものとしてもよい。
【０２１９】
このように構成された変形例に係るデジタルカメラによれば、デジタルカメラの内部温度の温度変動期間と温度安定期間とを一層精度よく画することができ、測距手段３０の精度変動によるＡＦ精度の低下を確実に防止することができる。
【０２２０】
なお、初期温度ｔ０が低いときを基準として、温度検出手段によって検出された初期温度ｔ０が高いときは、制御手段６０が経過時間Ｔ２を繰り上げるようにしてもよい。
（実施形態３）
本発明の第２の画像入力装置に係る第１の実施形態（実施形態３）であるデジタルカメラ１００は、図１０に示すように、投影された像を像信号に変換して出力する撮像手段１０と、撮像手段１０に被写体２００の像を投影する撮影光学系２０と、被写体２００までの距離を測定する測距手段３０と、撮影光学系２０の一部を光軸方向に移動させて撮像手段１０に投影される像のピント状態を変化させるフォーカス駆動手段４０と、フォーカス駆動手段４０を制御してピント状態を順次変化させつつ、各ピント状態ごとに得られた像信号を逐次評価し、この評価に基づいて所定のピント状態を得る第１オートフォーカス手段５０と、第１オートフォーカス手段５０の作動を制御する制御手段６０と、電源を投入する電源ＳＷ７０と、デジタルカメラ１００内の温度ｔを検出する温度検出手段８１とを備え、制御手段６０は、測距手段３０によって得られた距離に対応するピント状態の周辺ピント範囲で上記評価を行うように、第１オートフォーカス手段５０を制御するとともに、温度検出手段８１によって検出された温度ｔの経時的変化割合に応じて、上記周辺ピント範囲の広狭を設定するように構成されている。
【０２２１】
そして、このデジタルカメラ１００は、詳細には図１１に示すように構成されている。
【０２２２】
すなわち、測距センサ３１と測距センサ制御部３２とが測距手段３０として、撮像素子（ＣＣＤ）１１とＡ／Ｄコンバータ１２と画像処理部１３とＬＰＦ（ローパスフィルタ）１４とが撮像手段１０として、鏡胴ユニット２１とズームレンズ群２２とフォーカスレンズ群２３とが撮影光学系２０として、フォーカス駆動系４１がフォーカス駆動手段４０として、システムコントローラ６１とメモリ群６３とが第１オートフォーカス手段５０および制御手段６０として、温度センサ８２が温度検出手段８１として、それぞれ対応している。
【０２２３】
また、このデジタルカメラ１００の筐体１の内部には、上述した構成に加えて、撮影条件や表示条件等各種の設定情報が入力されるカメラ操作部６５と、撮像素子１１に投影されシステムコントローラ６１に入力されたデジタル信号が表す可視像やカメラ操作部６５で設定された各種の情報等を表示する表示部６６と、撮影字の補助光を発光するストロボ発光部６８およびこのストロボ発光部６８の発光を制御するストロボ制御部６７と、ズームレンズ群２２を駆動するズーム駆動系６４と、絞り６９を駆動するシャッタ・絞り駆動系６２と、レリーズ押圧部２と、レリーズ押圧部２の半押し状態を検出する半押し検出部３と、レリーズ押圧部２の全押し状態を検出する全押し検出部４とが収容されている。
【０２２４】
ここで、フォーカス駆動系４１はフォーカスレンズ群２３を光軸方向に移動させ、ズーム駆動系６４はズームレンズ群２２を光軸方向に移動させる。また、シャッタ・絞り駆動系６２は、ズームレンズ群２２とフォーカスレンズ群２３との間に配された絞り６９の開度を調整する。
【０２２５】
なお、フォーカスレンズ群２３の移動距離ΔＸは、所定の周波数で発振するパルスの数Ｍに対応して設定されており、パルス数Ｍが大きくなるに従って移動距離ΔＸは大きくなる。
【０２２６】
Ａ／Ｄコンバータ１２は、ＣＣＤ１１から出力されたアナログ信号をデジタル信号化し、画像処理部１３は、デジタル信号を信号処理してシステムコントローラ６１に入力する。
【０２２７】
ストロボ発光部６８は、ストロボ制御部６７を介してシステムコントローラ６１に接続され、半押し検出部３および全押し検出部４はそれぞれシステムコントローラ６１に直接接続されている。
【０２２８】
システムコントローラ６１に接続されたメモリ群６３には、撮影条件等に応じてシステムコントローラ６１が制御する各種作動に用いる設定値等が記憶され、あるいはシステムコントローラ６１から送出された情報を書換え可能に一時的に記憶する。また、このメモリ群６３には、撮影された被写体像を表すデジタル信号を記憶する着脱可能のスマートメディアやコンパクトフラッシュ（登録商標）等の外部メモリも含まれる。
【０２２９】
測距センサ３１は、図３（ａ）に示すように、２眼レンズと、この２眼レンズの各レンズに対応して設けられた絞りと、各絞りの後方にそれぞれ設けられたラインセンサであるＣＣＤとからなり、同図（ｂ）に示すように、各ＣＣＤにそれぞれ投影された被写体２００の像間の位相差に基づいて、測距センサ制御部３２が被写体までの距離を測定している。
【０２３０】
システムコントローラ６１の第１オートフォーカス手段５０は、図４（ａ）に示すように、フォーカスレンズ群２３の可動範囲（ＸＳ〜ＸＥ）の全域を走査範囲として移動させつつ、フォーカスレンズ群２３の各位置Ｘにおける被写体像のコントラストＣを算出し、全域走査後に最大のコントラストＣｍａｘが得られる位置ＸＢを最適ピント状態の位置すなわち最適焦点位置として決定し、改めてこの位置ＸＢにフォーカスレンズ群２３を移動させるように、フォーカス駆動系４１を制御するＣＣＤＡＦを行うが、同じくシステムコントローラ６１の制御手段６０によって、その走査範囲は、フォーカスレンズ群２３の可動範囲の全域よりも限定される。
【０２３１】
すなわち、制御手段６０は、図４（ｂ）に示すように、測距手段３０によって得られた被写体２００までの距離に対応するフォーカスレンズ群２３の位置ＸＡを算出し、上述したＣＣＤＡＦを行う際は、この位置ＸＡを中心として±ΔＸの走査範囲（ＸＡ−ΔＸ〜ＸＡ＋ΔＸ）を周辺ピント範囲と設定し、この周辺ピント範囲を走査範囲とするように、第１オートフォーカス手段５０を制御する。
【０２３２】
さらに、制御手段６０が設定する上記走査範囲（ＸＡ−ΔＸ〜ＸＡ＋ΔＸ）は、温度センサ８２によって検出された測距センサ３１の周辺温度ｔの経時的変化割合（｜ｔ（ｎ）−ｔ（ｎ−１）｜）に応じて変化する。
【０２３３】
すなわち、温度ｔの経時的変化割合｜ｔ（ｎ）−ｔ（ｎ−１）｜は、図１２に示すように、電源ＳＷ７０がオンに切り換えられてからの経過時間Ｔが温度変動期間（Ｔ１＜Ｔ＜Ｔ２）にあるときは、温度安定期間（Ｔ≦Ｔ１またはＴ２≦Ｔ）にあるときよりも大きく、この温度ｔの経時的変化割合（｜ｔ（ｎ）−ｔ（ｎ−１）｜）が予め設定された所定値ｔ１（＞０）よりも大きいとき（ｔ１＜｜ｔ（ｎ）−ｔ（ｎ−１）｜）は、走査範囲が広くなるように設定される。
【０２３４】
具体的な設定は、フォーカスレンズ群２３の移動距離ΔＸが依存するパルス数Ｍによって行われ、経時的変化割合（｜ｔ（ｎ）−ｔ（ｎ−１）｜）が所定値ｔ１よりも大きいときのパルス数Ｍは１０パルス、経時的変化割合（｜ｔ（ｎ）−ｔ（ｎ−１）｜）が所定値ｔ１よりも大きくないとき（｜ｔ（ｎ）−ｔ（ｎ−１）｜≦ｔ１）のパルス数Ｍは６パルスに設定されている。
【０２３５】
なお、この走査範囲の広狭を規定する具体的な値は、このパルス数Ｍに限定されるものでないことはいうまでもない。
【０２３６】
ここで、上述した経時的変化割合｜ｔ（ｎ）−ｔ（ｎ−１）｜の大小を規定する所定値ｔ１は、具体的には、温度変動期間と温度安定期間とを画する経過時間Ｔに対応して設定されている。
【０２３７】
次に、本実施形態３に係るデジタルカメラ１００の作用について、図１３に示したフローチャートを参照して説明する。
【０２３８】
まず、撮影者は、このデジタルカメラ１００の電源ＳＷ７０をオンに切り換えて電源を投入し（＃１）、デジタルカメラ１００を被写体２００に向けて撮影準備を整える。
【０２３９】
このとき、温度センサ８２が測距センサ３１の周辺の温度ｔを所定の時間間隔で繰返し検出開始する（＃２）。また、同時にシステムコントローラ６１は、メモリ群６３からＣＣＤＡＦの走査範囲の広狭を切り換えるための所定値ｔ１を読み込み、レリーズ押圧部２が押圧されるのを待つ（＃３）。
【０２４０】
撮影者が撮影意図によってレリーズ押圧部２を押下すると、レリーズ押圧部２は、半押し位置を通過した後に全押し位置まで押下されるが、まず、ＡＦ動作のために半押し位置まで押下されると、半押し検出部３がレリーズ押圧部２の半押し状態を検出し（＃３）、システムコントローラ６１に検出結果を送出する。
【０２４１】
なお、必要に応じて被写体２００にズームアップする場合は、カメラ操作部６５を操作して、システムコントローラ６１によりズーム駆動系６４を制御し、このズーム駆動系６４によってズームレンズ群２２を駆動させればよい。
【０２４２】
システムコントローラ６１は、半押し状態の検出結果の入力を受けて、その時点におけるズームレンズ群２２のズーム位置、絞り６９の開放状態（絞り値）、カメラ操作部６５に設定されている画質モード等を読み込む（＃４）とともに、測距センサ３１による測距を開始させる。
【０２４３】
そして、システムコントローラ６１は、測距センサ３１による測距が可能か否かを、測距センサ制御部３２からの入力によって判定する（＃５）。具体的には、例えば被写体が三角測量の原理では適切に距離を算出できないような繰返し模様を有するもの等であるときは、測距センサ制御部３２は適切な距離を算出することができず、この場合は、測距センサ制御部３２から測距ＮＧの信号がシステムコントローラ６１に入力され、一方、適切に距離を算出できた場合は、その測距距離がシステムコントローラ６１に入力されるため、システムコントローラ６１はその入力によって測距の可否を判定することができる。
【０２４４】
ここで、システムコントローラ６１の制御手段６０は、測距判定がＯＫの場合は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定し、一方、測距判定がＮＧの場合は、測距センサ制御部３２から測距距離が入力されないためこの中心値ＸＡを設定できず、したがって、第１オートフォーカス手段５０の走査範囲をフォーカスレンズ群２３の可動範囲の全域（ＸＳ〜ＸＥ）に設定する。
【０２４５】
測距判定がＮＧの場合は続けて、第１オートフォーカス手段５０が、走査範囲（ＸＳ〜ＸＥ）についてフォーカス駆動系４１を制御してＣＣＤＡＦを行う（＃１４）。
【０２４６】
そして、コントラストＣの最大値（ピーク）Ｃｍａｘが得られたとき（＃１５）は、第１オートフォーカス手段５０は、そのコントラストＣの最大値Ｃｍａｘが得られた位置ＸＢにフォーカスレンズ群２３を移動させるようにフォーカス駆動系４１を制御して（＃１６）最適なピント状態を得、レリーズ押圧部２が全押しされるのを待つ（＃１８，＃２０）。
【０２４７】
そして、レリーズ押圧部２が全押しされたとき（＃１８）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ４（＃４）において読み込まれた各種条件にしたがって絞り６９を閉じてシャッタを切り、撮影が実行される（＃１９）。
【０２４８】
一方、レリーズ押圧部２が全押しされるのを待っている間（＃１８，＃２０）に、撮影者が撮影動作を中止したとき、すなわちレリーズ押圧部２が全押しされることなく、半押し状態から解除されたとき（＃２０）は、ステップ３（＃３）に戻って、次に半押し状態が検出されるのを待つ（＃３）。
【０２４９】
また、被写体２００を含む構図全体が暗い場合等特殊な条件下では、ステップ１４（＃１４）におけるＣＣＤＡＦ動作によっても、コントラストＣの最大値Ｃｍａｘを検出することができない場合（＃１５）があり、この場合は、ＣＣＤＡＦ動作によっては最適なピント状態を得ることができないため、被写界深度が深くなる位置（常焦点位置）にフォーカスレンズ群２３を移動させるように、フォーカス駆動系４１を制御して（＃１７）、レリーズ押圧部２が全押しされるのを待つ（＃１８，＃２０）。
【０２５０】
次に、測距判定がＯＫの場合（＃５）は、システムコントローラ６１は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定するが、さらにシステムコントローラ６１は、温度センサ８２によって検出された温度ｔについて、最新データｔ（ｎ）の一つ前のデータｔ（ｎ−１）を読み出して（＃６）、この最新のデータｔ（ｎ）と一つ前のデータｔ（ｎ−１）との差の大きさ、すなわち温度ｔの経時的変動割合｜ｔ（ｎ）−ｔ（ｎ−１）｜を算出し、この値と所定値ｔ１とを比較し、温度安定期間にあるか、温度変動期間にあるかを判定する（＃７）。
【０２５１】
そして、｜ｔ（ｎ）−ｔ（ｎ−１）｜≦ｔ１のときは温度安定期間にあると判定して、測距センサ制御部３２による測距距離がある程度信頼性が高いものであると判定し、第１オートフォーカス手段５０の限定走査範囲（ＸＡ−ΔＸ〜ＸＡ＋ΔＸ）の広狭を規定するパルス数Ｍを、比較的少ない±６パルスに設定する（＃９）。この結果、限定走査範囲の幅は狭くなる。
【０２５２】
一方、ｔ１＜｜ｔ（ｎ）−ｔ（ｎ−１）｜のときは温度変動期間にあると判定して、測距センサ制御部３２による測距距離が信頼性が比較的低いものであると判定し、第１オートフォーカス手段５０の限定走査範囲（ＸＡ−ΔＸ〜ＸＡ＋ΔＸ）の広狭を規定するパルス数Ｍを、±１０パルスに設定する（＃８）。この結果、限定走査範囲の幅は広くなる。
【０２５３】
このようにして、システムコントローラ６１の制御部６０が設定した限定走査範囲について、第１オートフォーカス手段５０がフォーカス駆動系４１を制御してＣＣＤＡＦを行う（＃１０）。
【０２５４】
そして、この限定走査範囲でのコントラストＣの最大値（ピーク）Ｃｍａｘが得られたとき（＃１１）は、第１オートフォーカス手段５０は、そのコントラストＣの最大値Ｃｍａｘが得られた位置ＸＢにフォーカスレンズ群２３を移動させるようにフォーカス駆動系４１を制御して（＃１２）最適なピント状態を得、レリーズ押圧部２が全押しされるのを待つ（＃１８，＃２０）。
【０２５５】
そして、レリーズ押圧部２が全押しされたとき（＃１８）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ４（＃４）において読み込まれた各種条件にしたがって絞り６９を閉じてシャッタを切り、撮影が実行される（＃１９）。
【０２５６】
なお、撮影の実行に際しては、必要に応じて、あるいはカメラ操作部６５に設定された条件にしたがって、システムコントローラ６１がストロボ制御部６７を制御し、ストロボ発光部６８が撮影補助光としてのストロボ光を発光させる。
【０２５７】
一方、レリーズ押圧部２が全押しされるのを待っている間（＃１８，＃２０）に、撮影者が撮影動作を中止したとき、すなわちレリーズ押圧部２が全押しされることなく、半押し状態から解除されたとき（＃２０）は、ステップ３（＃３）に戻って、次に半押し状態が検出されるのを待つ（＃３）。
【０２５８】
また、被写体２００を含む構図全体が暗い場合等特殊な条件下では、ステップ１０（＃１０）におけるＣＣＤＡＦ動作によっても、コントラストＣの最大値Ｃｍａｘを検出することができない場合（＃１１）があり、この場合は、ＣＣＤＡＦ動作によっては最適なピント状態を得ることができないため、システムコントローラ６１は、測距センサ制御部３２から入力された位置ＸＡに、フォーカスレンズ群２３を移動させるように、フォーカス駆動系４１を制御して（＃１３）、レリーズ押圧部２が全押しされるのを待つ（＃１８，＃２０）。
【０２５９】
なお、このステップ１３（＃１３）におけるＡＦ動作は、いわゆる外光ＡＦ動作と同じである。
【０２６０】
また、システムコントローラ６１が、温度安定期間にあると判定したとき（＃７）は、さらに詳しくは、この温度安定期間が低温安定期間である場合には、低温安定期間を表すフラグを立て、高温安定期間である場合には、高温安定期間を表すフラグを立てており、ステップ１０（＃１０）においてＣＣＤＡＦ動作を行う限定走査範囲を決定する際に、これらのフラグに応じて、限定走査範囲の中心位置ＸＡを補正するようにしている。
【０２６１】
すなわち、低温安定期間および高温安定期間では、測距センサ３１による検出値は各期間内ではばらつかないものの、低温安定期間における検出値と高温安定期間における検出値とでは異なる値となるため、少なくとも一方の温度安定期間における検出値を補正するのが好ましい。
【０２６２】
そこで、例えば、低温安定期間における検出値を基準として設定している場合には、高温安定期間のフラグが立っている場合にのみ検出値を補正し、高温安定期間における検出値を基準として設定している場合には、低温安定期間のフラグが立っている場合にのみ検出値を補正し、低温安定期間と高温安定期間との中間温度における検出値を基準として設定している場合には、低温安定期間のフラグが立っている場合も高温安定期間のフラグが立っている場合も、それぞれの温度安定期間ごとに対応して設定された補正値によって検出値を補正すればよい。
【０２６３】
この温度に対応した検出値の補正は、伝統的なフイルムカメラ等の測距手段に用いられている補正方法をそのまま適用することができ、補正値等はメモリ群６３に予め記憶されており、システムコントローラ６１が、メモリ群６３からこの補正値を読み出して、上述した補正処理を行なうものとすればよい。
【０２６４】
なお、低温安定期間であるか高温安定期間であるかの判定は、温度ｔについて最新のデータｔ（ｎ）までの検出回数ｎに基づいて行うことができる。
【０２６５】
すなわち、温度センサ８２は、電源ＳＷ７０がオンに切り換えられてから所定の時間間隔で温度ｔを検出しているため、低温安定期間に検出する回数は所定回数に限られる。
【０２６６】
したがって、この検出回数ｎの閾値を、低温安定期間内における検出回数と高温安定期間までの検出回数とを明確に画する値として設定しておくことによって、検出回数ｎに基づいて、低温安定期間であるか高温安定期間であるかを判定することができる。
【０２６７】
以上説明したように、本実施形態３に係るデジタルカメラ１００によれば、温度センサ８２によって検出された温度ｔの経時的変動割合｜ｔ（ｎ）−ｔ（ｎ−１）｜に応じて、制御手段６０が第１オートフォーカス手段５０の作動を制御することにより、測距センサ３１の測距精度の信頼性に応じて、第１オートフォーカス手段５０の作動が制御され、第１オートフォーカス手段５０によるＡＦ動作を適切な精度で行わせることができる。
【０２６８】
すなわち、測距センサ３１の精度の信頼性が低下する温度変動期間では、ＣＣＤＡＦ動作の限定走査範囲を広く設定することによって、全域（ＸＳ〜ＸＥ）を走査範囲としていれば検出されるべき最適ピント状態の位置が限定された走査範囲から外れて設定されるのを防止することができ、一方、測距センサ３１の精度の信頼性が低下しない温度安定期間では、限定走査範囲を狭く設定することによって、最適ピント状態を探索する探索時間を短縮することができる。
（実施形態４）
本発明の第２の画像入力装置に係る第２の実施形態（実施形態４）であるデジタルカメラ１００は、図１４に示すように、投影された像を像信号に変換して出力する撮像手段１０と、撮像手段１０に被写体２００の像を投影する撮影光学系２０と、被写体２００までの距離を測定する測距手段３０と、撮影光学系２０の一部を光軸方向に移動させて撮像手段１０に投影される像のピント状態を変化させるフォーカス駆動手段４０と、フォーカス駆動手段４０を制御してピント状態を順次変化させつつ、各ピント状態ごとに得られた像信号を逐次評価し、この評価に基づいて所定のピント状態を得る第１オートフォーカス手段５０と、測距手段３０によって得られた距離に基づいてフォーカス駆動手段４０を制御し、所定のピント状態を得る第２オートフォーカス手段９０と、第１オートフォーカス手段５０の作動と第２オートフォーカス手段９０の作動とを制御する制御手段６０と、電源を投入する電源ＳＷ７０と、デジタルカメラ１００内の温度ｔを検出する温度検出手段８１とを備え、制御手段６０は、測距手段３０によって得られた距離に対応するピント状態の周辺ピント範囲で上記評価を行うように、第１オートフォーカス手段５０を制御するとともに、温度検出手段８１によって検出された温度ｔの経時的変化割合に応じて、第１オートフォーカス手段５０の作動と第２オートフォーカス手段９０の作動とを択一的に切り換えるように構成されている。
【０２６９】
そして、このデジタルカメラ１００は、詳細には図１１に示すように構成されている。
【０２７０】
すなわち、測距センサ３１と測距センサ制御部３２とが測距手段３０として、撮像素子（ＣＣＤ）１１とＡ／Ｄコンバータ１２と画像処理部１３とＬＰＦ（ローパスフィルタ）１４とが撮像手段１０として、鏡胴ユニット２１とズームレンズ群２２とフォーカスレンズ群２３とが撮影光学系２０として、フォーカス駆動系４１がフォーカス駆動手段４０として、システムコントローラ６１とメモリ群６３とが第１オートフォーカス手段５０、第２オートフォーカス手段９０および制御手段６０として、温度センサ８２が温度検出手段８１として、それぞれ対応している。
【０２７１】
なお、本実施形態４のデジタルカメラ１００と前述した実施形態３のデジタルカメラ１００とは、システムコントローラ６１の機能が異なる以外は同一の構成であるため、システムコントローラ６１の機能の以外については、説明を省略する。
【０２７２】
システムコントローラ６１の第１オートフォーカス手段５０は、図４（ａ）に示すように、フォーカスレンズ群２３の可動範囲（ＸＳ〜ＸＥ）の全域を走査範囲として移動させつつ、フォーカスレンズ群２３の各位置Ｘにおける被写体像のコントラストＣを算出し、全域走査後に最大のコントラストＣｍａｘが得られる位置ＸＢを最適ピント状態の位置すなわち最適焦点位置として決定し、改めてこの位置ＸＢにフォーカスレンズ群２３を移動させるように、フォーカス駆動系４１を制御するＣＣＤＡＦを行うが、同じくシステムコントローラ６１の制御手段６０によって、その走査範囲は、フォーカスレンズ群２３の可動範囲の全域よりも限定される。
【０２７３】
すなわち、制御手段６０は、図４（ｂ）に示すように、測距手段３０によって得られた被写体２００までの距離に対応するフォーカスレンズ群２３の位置ＸＡを算出し、上述したＣＣＤＡＦを行う際は、この位置ＸＡを中心として±ΔＸの走査範囲（ＸＡ−ΔＸ〜ＸＡ＋ΔＸ）を周辺ピント範囲と設定し、この周辺ピント範囲を走査範囲とするように、第１オートフォーカス手段５０を制御する。
【０２７４】
また、システムコントローラ６１の第２オートフォーカス手段９０は、測距手段３０によって得られた被写体までの距離に基づいて、この距離に対応した被写体２００の像が撮像素子１１上で最適なピント状態で結像するのに必要なフォーカスレンズ群２３の位置ＸＡを算出し、フォーカスレンズ群２３の位置が、この算出された位置ＸＡになるように、フォーカス駆動系４１を制御するいわゆる外光ＡＦ動作を行うオートフォーカス手段であり、第１オートフォーカス手段によるＡＦ動作（ＣＣＤＡＦ）よりも、測距手段３０の測距精度への依存度が高い。
【０２７５】
そして、制御手段６０は、温度センサ８２によって検出された温度ｔの経時的変化割合（｜ｔ（ｎ）−ｔ（ｎ−１）｜）が予め設定された所定値ｔ１（＞０）よりも大きいとき（ｔ１＜｜ｔ（ｎ）−ｔ（ｎ−１）｜）は、第１オートフォーカス手段５０によるＣＣＤＡＦ動作となるように、経時的変化割合（｜ｔ（ｎ）−ｔ（ｎ−１）｜）が予め設定された所定値ｔ１よりも大きくないとき（｜ｔ（ｎ）−ｔ（ｎ−１）｜≦ｔ１）は、第２オートフォーカス手段９０による外光ＡＦ動作となるように、両オートフォーカス手段５０，９０を切換制御する。なお、所定値ｔ１は、実施形態３において説明したものと同一である。
【０２７６】
すなわち、測距センサ３１の周辺温度ｔの経時的変化割合が所定値ｔ１よりも大きくないときは、低温で安定しているとき（低温安定期間）や高温で安定しているとき（高温安定期間）であり、その安定している温度に応じて所定の補正を行うことで測距センサ３１による測距値の信頼性を確保することができるため、第２オートフォーカス手段９０による外光ＡＦ動作を選択し、経時的変化割合が所定値ｔ１よりも大きいときは、温度ｔが急激に変動しているとき（温度変動期間）であり、特定の補正値を設定することできず、結果的に測距の信頼性が低下しているため、測距センサ３１の測距値への依存度が外光ＡＦ動作よりも相対的に低い第１オートフォーカス手段５０によるＣＣＤＡＦ動作を選択するものである。
【０２７７】
次に、本実施形態４に係るデジタルカメラ１００の作用について、図１５に示したフローチャートを参照して説明する。
【０２７８】
まず、撮影者は、このデジタルカメラ１００の電源ＳＷ７０をオンに切り換えて電源を投入し（＃２１）、デジタルカメラ１００を被写体２００に向けて撮影準備を整える。
【０２７９】
このとき、温度センサ８２が測距センサ３１の周辺の温度ｔを所定の時間間隔で繰返し検出開始する（＃２２）。また、同時にシステムコントローラ６１は、メモリ群６３からＣＣＤＡＦの走査範囲の広狭を切り換えるための所定値ｔ１を読み込み、レリーズ押圧部２が押圧されるのを待つ（＃２３）。
【０２８０】
撮影者が撮影意図によってレリーズ押圧部２を押下すると、レリーズ押圧部２は、半押し位置を通過した後に全押し位置まで押下されるが、まず、ＡＦ動作のために半押し位置まで押下されると、半押し検出部３がレリーズ押圧部２の半押し状態を検出し（＃２３）、システムコントローラ６１に検出結果を送出する。
【０２８１】
なお、必要に応じて被写体２００にズームアップする場合は、カメラ操作部６５を操作して、システムコントローラ６１によりズーム駆動系６４を制御し、このズーム駆動系６４によってズームレンズ群２２を駆動させればよい。
【０２８２】
システムコントローラ６１は、半押し状態の検出結果の入力を受けて、その時点におけるズームレンズ群２２のズーム位置、絞り６９の開放状態（絞り値）、カメラ操作部６５に設定されている画質モード等を読み込む（＃２４）とともに、測距センサ３１による測距を開始させる。
【０２８３】
そして、システムコントローラ６１は、測距センサ３１による測距が可能か否かを、測距センサ制御部３２からの入力によって判定する（＃２５）。具体的には、例えば被写体が三角測量の原理では適切に距離を算出できないような繰返し模様を有するもの等であるときは、測距センサ制御部３２は適切な距離を算出することができず、この場合は、測距センサ制御部３２から測距ＮＧの信号がシステムコントローラ６１に入力され、一方、適切に距離を算出できた場合は、その測距距離がシステムコントローラ６１に入力されるため、システムコントローラ６１はその入力によって測距の可否を判定することができる。
【０２８４】
ここで、システムコントローラ６１の制御手段６０は、測距判定がＯＫの場合は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定するとともに、この中心値ＸＡを挟んだ周辺ピント範囲（ＸＡ±ΔＸ）を、ＣＣＤＡＦの限定走査範囲として設定する。
【０２８５】
一方、測距判定がＮＧの場合は、システムコントローラ６１には測距センサ制御部３２から測距距離が入力されないためこの中心値ＸＡを設定できず、したがって、第１オートフォーカス手段５０の走査範囲をフォーカスレンズ群２３の可動範囲の全域（ＸＳ〜ＸＥ）に設定する。
【０２８６】
測距判定がＮＧの場合は続けて、第１オートフォーカス手段５０が、走査範囲（ＸＳ〜ＸＥ）について、フォーカス駆動系４１を制御してＣＣＤＡＦを行う（＃３２）。
【０２８７】
そして、コントラストＣの最大値（ピーク）Ｃｍａｘが得られたとき（＃３３）は、第１オートフォーカス手段５０は、そのコントラストＣの最大値Ｃｍａｘが得られた位置ＸＢにフォーカスレンズ群２３を移動させるようにフォーカス駆動系４１を制御して（＃３４）最適なピント状態を得、レリーズ押圧部２が全押しされるのを待つ（＃３６，＃３８）。
【０２８８】
そして、レリーズ押圧部２が全押しされたとき（＃３６）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ２４（＃２４）において読み込まれた各種条件にしたがって絞り６９を閉じてシャッタを切り、撮影が実行される（＃３７）。
【０２８９】
一方、レリーズ押圧部２が全押しされるのを待っている間（＃３６，＃３８）に、撮影者が撮影動作を中止したとき、すなわちレリーズ押圧部２が全押しされることなく、半押し状態から解除されたとき（＃３８）は、ステップ２３（＃２３）に戻って、次に半押し状態が検出されるのを待つ（＃２３）。
【０２９０】
また、被写体２００を含む構図全体が暗い場合等特殊な条件下では、ステップ３２（＃３２）におけるＣＣＤＡＦ動作によっても、コントラストＣの最大値Ｃｍａｘを検出することができない場合（＃３４）があり、この場合は、ＣＣＤＡＦ動作によっては最適なピント状態を得ることができないため、被写界深度が深くなる位置（常焦点位置）にフォーカスレンズ群２３を移動させるように、フォーカス駆動系４１を制御して（＃３５）、レリーズ押圧部２が全押しされるのを待つ（＃３６，＃３８）。
【０２９１】
次に、測距判定がＯＫの場合（＃２５）は、システムコントローラ６１は、ＣＣＤＡＦの限定走査範囲を設定するが、さらにシステムコントローラ６１は、温度センサ８２によって検出された温度ｔについて、最新データｔ（ｎ）の一つ前のデータｔ（ｎ−１）を読み出して（＃２６）、この最新データｔ（ｎ）と一つ前のデータｔ（ｎ−１）との差の大きさ、すなわち温度ｔの経時的変動割合｜ｔ（ｎ）−ｔ（ｎ−１）｜を算出し、この値と所定値ｔ１とを比較し、温度安定期間にあるか、温度変動期間にあるかを判定する（＃２７）。
【０２９２】
そして、温度安定期間にあると判定したときは、測距センサ制御部３２による測距距離がある程度信頼性が高いものであると判定し、この測距センサ３２の測距精度への依存度が相対的に高い、第２オートフォーカス手段９０による外光ＡＦ動作に切り換え、温度変動期間にあると判定したときは、測距センサ制御部３２による測距距離が相対的に信頼性が低いものであると判定し、この測距センサ３２の測距精度への依存度が相対的に低い、第１オートフォーカス手段５０によるＣＣＤＡＦ動作に切り換える（＃２７）。
【０２９３】
このようにして、温度変動期間に対応してＣＣＤＡＦ動作に切り換えられたときは、システムコントローラ６１の制御部６０が設定した限定走査範囲について、第１オートフォーカス手段５０がフォーカス駆動系４１を制御してＣＣＤＡＦを行う（＃２８）。
【０２９４】
そして、この限定走査範囲でのコントラストＣの最大値（ピーク）Ｃｍａｘが得られたとき（＃２９）は、第１オートフォーカス手段５０は、そのコントラストＣの最大値Ｃｍａｘが得られた位置ＸＢにフォーカスレンズ群２３を移動させるようにフォーカス駆動系４１を制御して（＃３０）最適なピント状態を得、レリーズ押圧部２が全押しされるのを待つ（＃３６，＃３８）。
【０２９５】
そして、レリーズ押圧部２が全押しされたとき（＃３６）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ２４（＃２４）において読み込まれた各種条件にしたがって絞り６９を閉じてシャッタを切り、撮影が実行される（＃３７）。
【０２９６】
なお、撮影の実行に際しては、必要に応じて、あるいはカメラ操作部６５に設定された条件にしたがって、システムコントローラ６１がストロボ制御部６７を制御し、ストロボ発光部６８が撮影補助光としてのストロボ光を発光させる。
【０２９７】
一方、レリーズ押圧部２が全押しされるのを待っている間（＃３６，＃３８）に、撮影者が撮影動作を中止したとき、すなわちレリーズ押圧部２が全押しされることなく、半押し状態から解除されたとき（＃３８）は、ステップ２３（＃２３）に戻って、次に半押し状態が検出されるのを待つ（＃２３）。
【０２９８】
また、被写体２００を含む構図全体が暗い場合等特殊な条件下では、ステップ２８（＃２８）におけるＣＣＤＡＦ動作によっても、コントラストＣの最大値Ｃｍａｘを検出することができない場合（＃２９）があり、この場合は、ＣＣＤＡＦ動作によっては最適なピント状態を得ることができないため、システムコントローラ６１は、第２オートフォーカス手段９０による外光ＡＦ動作に切り換える（＃２９）。
【０２９９】
そして、温度安定期間にあると判定して第２オートフォーカス手段９０による外光ＡＦ動作に切り換えたとき（＃２７）、またはＣＣＤＡＦ動作によっては最適なピント状態を得ることができないため、第２オートフォーカス手段９０による外光ＡＦ動作に切り換えたとき（＃２９）、第２オートフォーカス手段９０は、測距センサ制御部３２から入力された位置ＸＡに、フォーカスレンズ群２３を移動させるように、フォーカス駆動系４１を制御して（＃３１）、レリーズ押圧部２が全押しされるのを待つ（＃３６，＃３８）。
【０３００】
なお、システムコントローラ６１が、温度安定期間にあると判定したとき（＃２７）は、さらに詳しくは、この温度安定期間が低温安定期間である場合には、低温安定期間を表すフラグを立て、高温安定期間である場合には、高温安定期間を表すフラグを立てており、ステップ３１（＃３１）において外光ＡＦ動作を行う位置ＸＡを補正するようにしている。
【０３０１】
すなわち、低温安定期間および高温安定期間では、測距センサ３１による検出値は各期間内ではばらつかないものの、低温安定期間における検出値と高温安定期間における検出値とでは異なる値となるため、少なくとも一方の温度安定期間における検出値を補正するのが好ましい。
【０３０２】
そこで、例えば、低温安定期間における検出値を基準として設定している場合には、高温安定期間のフラグが立っている場合にのみ検出値を補正し、高温安定期間における検出値を基準として設定している場合には、低温安定期間のフラグが立っている場合にのみ検出値を補正し、低温安定期間と高温安定期間との中間温度における検出値を基準として設定している場合には、低温安定期間のフラグが立っている場合も高温安定期間のフラグが立っている場合も、それぞれの温度安定期間ごとに対応して設定された補正値によって検出値を補正すればよい。
【０３０３】
この温度に対応した検出値の補正は、伝統的なフイルムカメラ等の測距手段に用いられている補正方法をそのまま適用することができ、補正値等はメモリ群６３に予め記憶されており、システムコントローラ６１が、メモリ群６３からこの補正値を読み出して、上述した補正処理を行なうものとすればよい。
【０３０４】
なお、低温安定期間であるか高温安定期間であるかの判定は、温度ｔについて最新のデータｔ（ｎ）までの検出回数ｎに基づいて行うことができる。
【０３０５】
すなわち、温度センサ８２は、電源ＳＷ７０がオンに切り換えられてから所定の時間間隔で温度ｔを検出しているため、低温安定期間に検出する回数は所定回数に限られる。
【０３０６】
したがって、この検出回数ｎの閾値を、低温安定期間内における検出回数と高温安定期間までの検出回数とを明確に画する値として設定しておくことによって、検出回数に基づいて、低温安定期間であるか高温安定期間であるかを判定することができる。
【０３０７】
以上説明したように、本実施形態４に係るデジタルカメラ１００によれば、温度センサ８２によって検出された温度ｔの経時的変動割合｜ｔ（ｎ）−ｔ（ｎ−１）｜に応じて、制御手段６０が第１オートフォーカス手段５０の作動と第２オートフォーカス手段９０の作動とを択一的に切り換える制御を行うことにより、測距センサ３１の測距精度の信頼性に応じて、第１オートフォーカス手段５０によるＣＣＤＡＦ動作、または第２オートフォーカス手段９０による外光ＡＦ動作が行われ、両オートフォーカス手段５０，９０によるＡＦ動作を適切な精度で行わせることができる。
【０３０８】
すなわち、測距センサ３１の精度の信頼性が低下する温度変動期間では、ＡＦ精度の高いＣＣＤＡＦ動作を選択することによって、測距センサ３１の信頼性低下による最適ピント状態の誤探索を防止することができ、一方、測距センサ３１の精度の信頼性が低下しない温度安定期間では、ＡＦ動作速度の速い外光ＡＦ動作を選択することによって、最適ピント状態を探索する探索時間を短縮することができる。
（実施形態５）
本発明の第３の画像入力装置に係る第１の実施形態（実施形態５）であるデジタルカメラ１００は、図１６に示すように、投影された像を像信号に変換して出力する撮像手段１０と、撮像手段１０に被写体２００の像を投影する撮影光学系２０と、被写体２００までの距離を測定する測距手段３０と、撮影光学系２０の一部を光軸方向に移動させて撮像手段１０に投影される像のピント状態を変化させるフォーカス駆動手段４０と、フォーカス駆動手段４０を制御してピント状態を順次変化させつつ、各ピント状態ごとに得られた像信号を逐次評価し、この評価に基づいて所定のピント状態を得る第１オートフォーカス手段５０と、第１オートフォーカス手段５０の作動を制御する制御手段６０と、電源を投入する電源ＳＷ７０と、デジタルカメラ１００内の互いに異なる２カ所の温度ｔａ，ｔｂをそれぞれ検出する２つの温度検出手段８１，８１とを備え、制御手段６０は、測距手段３０によって得られた距離に対応するピント状態の周辺ピント範囲で上記評価を行うように、第１オートフォーカス手段５０を制御するとともに、２つの温度検出手段８１，８１によってそれぞれ検出された温度ｔａ，ｔｂに基づくデジタルカメラ１００内部の温度分布の不均一性に応じて、上記周辺ピント範囲の広狭を設定するように構成されている。
【０３０９】
そして、このデジタルカメラ１００は、詳細には図１７に示すように構成されている。
【０３１０】
すなわち、測距センサ３１と測距センサ制御部３２とが測距手段３０として、撮像素子（ＣＣＤ）１１とＡ／Ｄコンバータ１２と画像処理部１３とＬＰＦ（ローパスフィルタ）１４とが撮像手段１０として、鏡胴ユニット２１とズームレンズ群２２とフォーカスレンズ群２３とが撮影光学系２０として、フォーカス駆動系４１がフォーカス駆動手段４０として、システムコントローラ６１とメモリ群６３とが第１オートフォーカス手段５０および制御手段６０として、温度センサ８２，８２が温度検出手段８１，８１として、それぞれ対応している。
【０３１１】
ここで、２つの温度センサ８２，８２はそれぞれ、測距センサ３１の近傍に配設されており、図１８に示すように、一方の温度センサ（第１温度センサ）８２は、測距センサ３１の近傍のうち撮像素子１１に近い側の部分に設けられ、他方の温度センサ（第２温度センサ）８２は、測距センサ３１の近傍のうち撮像素子１１から遠い側の部分に設けられて、デジタルカメラ１００内部の温度分布として測距センサ３１近傍の温度分布を算出するのに供される。
【０３１２】
また、このデジタルカメラ１００の筐体１の内部には、上述した構成に加えて、撮影条件や表示条件等各種の設定情報が入力されるカメラ操作部６５と、撮像素子１１に投影されシステムコントローラ８０に入力されたデジタル信号が表す可視像やカメラ操作部６５で設定された各種の情報等を表示する表示部６６と、撮影字の補助光を発光するストロボ発光部６８およびこのストロボ発光部６８の発光を制御するストロボ制御部６７と、ズームレンズ群２２を駆動するズーム駆動系６４と、絞り６９を駆動するシャッタ・絞り駆動系６２と、レリーズ押圧部２と、レリーズ押圧部２の半押し状態を検出する半押し検出部３と、レリーズ押圧部２の全押し状態を検出する全押し検出部４とが収容されている。
【０３１３】
ここで、フォーカス駆動系４１はフォーカスレンズ群２３を光軸方向に移動させ、ズーム駆動系６４はズームレンズ群２２を光軸方向に移動させる。また、シャッタ・絞り駆動系６２は、ズームレンズ群２２とフォーカスレンズ群２３との間に配された絞り６９の開度を調整する。
【０３１４】
なお、フォーカスレンズ群２３の移動距離ΔＸは、所定の周波数で発振するパルスの数Ｍに対応して設定されており、パルス数Ｍが大きくなるに従って移動距離ΔＸは大きくなる。
【０３１５】
Ａ／Ｄコンバータ１２は、ＣＣＤ１１から出力されたアナログ信号をデジタル信号化し、画像処理部１３は、デジタル信号を信号処理してシステムコントローラ６１に入力する。
【０３１６】
ストロボ発光部６８は、ストロボ制御部６７を介してシステムコントローラ６１に接続され、半押し検出部３および全押し検出部４はそれぞれシステムコントローラ６１に直接接続されている。
【０３１７】
システムコントローラ６１に接続されたメモリ群６３には、撮影条件等に応じてシステムコントローラ６１が制御する各種作動に用いる設定値等が記憶され、あるいはシステムコントローラ６１から送出された情報を書換え可能に一時的に記憶する。また、このメモリ群６３には、撮影された被写体像を表すデジタル信号を記憶する着脱可能のスマートメディアやコンパクトフラッシュ（登録商標）等の外部メモリも含まれる。
【０３１８】
測距センサ３１は、図３（ａ）に示すように、２眼レンズと、この２眼レンズの各レンズに対応して設けられた絞りと、各絞りの後方にそれぞれ設けられたラインセンサであるＣＣＤとからなり、同図（ｂ）に示すように、各ＣＣＤにそれぞれ投影された被写体２００の像間の位相差に基づいて、測距センサ制御部３２が被写体までの距離を測定している。
【０３１９】
システムコントローラ６１の第１オートフォーカス手段５０は、図４（ａ）に示すように、フォーカスレンズ群２３の可動範囲（ＸＳ〜ＸＥ）の全域を走査範囲として移動させつつ、フォーカスレンズ群２３の各位置Ｘにおける被写体像のコントラストＣを算出し、全域走査後に最大のコントラストＣｍａｘが得られる位置ＸＢを最適ピント状態の位置すなわち最適焦点位置として決定し、改めてこの位置ＸＢにフォーカスレンズ群２３を移動させるように、フォーカス駆動系４１を制御するＣＣＤＡＦを行うが、同じくシステムコントローラ６１の制御手段６０によって、その走査範囲は、フォーカスレンズ群２３の可動範囲の全域よりも狭く限定される。
【０３２０】
すなわち、制御手段６０は、図４（ｂ）に示すように、測距手段３０によって得られた被写体２００までの距離に対応するフォーカスレンズ群２３の位置ＸＡを算出し、上述したＣＣＤＡＦを行う際は、この位置ＸＡを中心として±ΔＸの走査範囲（ＸＡ−ΔＸ〜ＸＡ＋ΔＸ）を周辺ピント範囲と設定し、この周辺ピント範囲を走査範囲とするように、第１オートフォーカス手段５０を制御する。
【０３２１】
さらに、制御手段６０が設定する上記走査範囲（ＸＡ−ΔＸ〜ＸＡ＋ΔＸ）は、２つの温度センサ８２，８２によって検出された測距センサ３１の周辺温度ｔａ，ｔｂの分布の不均一性を表す指標値（｜ｔａ−ｔｂ｜）に応じて変化する。
【０３２２】
すなわち、温度分布の不均一性｜ｔａ−ｔｂ｜は、図１９に示すように、電源ＳＷ７０がオンに切り換えられてからの経過時間Ｔが温度変動期間（Ｔ１＜Ｔ＜Ｔ２）にあるときは、温度安定期間（Ｔ≦Ｔ１またはＴ２≦Ｔ）にあるときよりも大きく、この温度分布の不均一性｜ｔａ−ｔｂ｜が予め設定された所定値ｔ２（＞０）よりも大きいとき（ｔ２＜｜ｔａ−ｔｂ｜）は、走査範囲が広くなるように設定される。
【０３２３】
具体的な設定は、フォーカスレンズ群２３の移動距離ΔＸが依存するパルス数Ｍによって行われ、温度分布の不均一性（｜ｔａ−ｔｂ｜）が所定値ｔ２よりも大きいときのパルス数Ｍは１０パルス、温度分布の不均一性（｜ｔａ−ｔｂ｜）が所定値ｔ２よりも大きくないとき（｜ｔａ−ｔｂ｜≦ｔ２）のパルス数Ｍは６パルスに設定されている。
【０３２４】
なお、この走査範囲の広狭を規定する具体的な値は、このパルス数Ｍに限定されるものでないことはいうまでもない。
【０３２５】
ここで、上述した温度分布の不均一性（｜ｔａ−ｔｂ｜）の大小を規定する所定値ｔ２は、具体的には、温度変動期間と温度安定期間とを画する経過時間Ｔに対応して設定されている。
【０３２６】
次に、本実施形態５に係るデジタルカメラ１００の作用について、図２０に示したフローチャートを参照して説明する。
【０３２７】
まず、撮影者は、このデジタルカメラ１００の電源ＳＷ７０をオンに切り換えて電源を投入し（＃１）、デジタルカメラ１００を被写体２００に向けて撮影準備を整える。
【０３２８】
このとき、システムコントローラ６１は、メモリ群６３からＣＣＤＡＦの走査範囲の広狭を切り換えるための所定値ｔ２を読み込み、レリーズ押圧部２が押圧されるのを待つ（＃２）。
【０３２９】
撮影者が撮影意図によってレリーズ押圧部２を押下すると、レリーズ押圧部２は、半押し位置を通過した後に全押し位置まで押下されるが、まず、ＡＦ動作のために半押し位置まで押下されると、半押し検出部３がレリーズ押圧部２の半押し状態を検出し（＃２）、システムコントローラ６１に検出結果を送出する。
【０３３０】
なお、必要に応じて被写体２００にズームアップする場合は、カメラ操作部６５を操作して、システムコントローラ６１によりズーム駆動系６４を制御し、このズーム駆動系６４によってズームレンズ群２２を駆動させればよい。
【０３３１】
システムコントローラ６１は、半押し状態の検出結果の入力を受けて、その時点におけるズームレンズ群２２のズーム位置、絞り６９の開放状態（絞り値）、カメラ操作部６５に設定されている画質モード等を読み込む（＃３）とともに、測距センサ３１による測距を開始させる。
【０３３２】
そして、システムコントローラ６１は、測距センサ３１による測距が可能か否かを、測距センサ制御部３２からの入力によって判定する（＃４）。具体的には、例えば被写体が三角測量の原理では適切に距離を算出できないような繰返し模様を有するもの等であるときは、測距センサ制御部３２は適切な距離を算出することができず、この場合は、測距センサ制御部３２から測距ＮＧの信号がシステムコントローラ６１に入力され、一方、適切に距離を算出できた場合は、その測距距離がシステムコントローラ６１に入力されるため、システムコントローラ６１はその入力によって測距の可否を判定することができる。
【０３３３】
ここで、システムコントローラ６１の制御手段６０は、測距判定がＯＫの場合は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定し、一方、測距判定がＮＧの場合は、測距センサ制御部３２から測距距離が入力されないためこの中心値ＸＡを設定できず、したがって、第１オートフォーカス手段５０の走査範囲をフォーカスレンズ群２３の可動範囲の全域（ＸＳ〜ＸＥ）に設定する。
【０３３４】
測距判定がＮＧの場合は続けて、第１オートフォーカス手段５０が、走査範囲（ＸＳ〜ＸＥ）についてフォーカス駆動系４１を制御してＣＣＤＡＦを行う（＃１３）。
【０３３５】
そして、コントラストＣの最大値（ピーク）Ｃｍａｘが得られたとき（＃１４）は、第１オートフォーカス手段５０は、そのコントラストＣの最大値Ｃｍａｘが得られた位置ＸＢにフォーカスレンズ群２３を移動させるようにフォーカス駆動系４１を制御して（＃１５）最適なピント状態を得、レリーズ押圧部２が全押しされるのを待つ（＃１７，＃１９）。
【０３３６】
そして、レリーズ押圧部２が全押しされたとき（＃１７）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ３（＃３）において読み込まれた各種条件にしたがって絞り６９を閉じてシャッタを切り、撮影が実行される（＃１８）。
【０３３７】
一方、レリーズ押圧部２が全押しされるのを待っている間（＃１７，＃１９）に、撮影者が撮影動作を中止したとき、すなわちレリーズ押圧部２が全押しされることなく、半押し状態から解除されたとき（＃１９）は、ステップ２（＃２）に戻って、次に半押し状態が検出されるのを待つ（＃２）。
【０３３８】
また、被写体２００を含む構図全体が暗い場合等特殊な条件下では、ステップ１３（＃１３）におけるＣＣＤＡＦ動作によっても、コントラストＣの最大値Ｃｍａｘを検出することができない場合（＃１４）があり、この場合は、ＣＣＤＡＦ動作によっては最適なピント状態を得ることができないため、被写界深度が深くなる位置（常焦点位置）にフォーカスレンズ群２３を移動させるように、フォーカス駆動系４１を制御して（＃１６）、レリーズ押圧部２が全押しされるのを待つ（＃１７，＃１９）。
【０３３９】
次に、測距判定がＯＫの場合（＃４）は、システムコントローラ６１は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定するが、さらにシステムコントローラ６１は、２つの温度センサ８２，８２がそれぞれ検出した測距センサ３１の近傍の温度ｔａ，ｔｂを読み込み（＃５）、両温度の差である温度分布の不均一性の指標値｜ｔａ−ｔｂ｜を算出し、この値と所定値ｔ２とを比較し、温度安定期間にあるか、温度変動期間にあるかを判定する（＃６）。
【０３４０】
そして、｜ｔａ−ｔｂ｜≦ｔ２のときは温度安定期間にあると判定し、測距センサ制御部３２による測距距離がある程度信頼性が高いものであると判定し、第１オートフォーカス手段５０の限定走査範囲（ＸＡ−ΔＸ〜ＸＡ＋ΔＸ）の広狭を規定するパルス数Ｍを、比較的少ない±６パルスに設定する（＃８）。この結果、限定走査範囲の幅は狭くなる。
【０３４１】
一方、ｔ２＜｜ｔａ−ｔｂ｜のときは温度変動期間にあると判定し、測距センサ制御部３２による測距距離が信頼性が比較的低いものであると判定し、第１オートフォーカス手段５０の限定走査範囲（ＸＡ−ΔＸ〜ＸＡ＋ΔＸ）の広狭を規定するパルス数Ｍを、±１０パルスに設定する（＃７）。この結果、限定走査範囲の幅は広くなる。
【０３４２】
このようにして、システムコントローラ６１の制御部６０が設定した限定走査範囲について、第１オートフォーカス手段５０がフォーカス駆動系４１を制御してＣＣＤＡＦを行う（＃９）。
【０３４３】
そして、この限定走査範囲でのコントラストＣの最大値（ピーク）Ｃｍａｘが得られたとき（＃１０）は、第１オートフォーカス手段５０は、そのコントラストＣの最大値Ｃｍａｘが得られた位置ＸＢにフォーカスレンズ群２３を移動させるようにフォーカス駆動系４１を制御して（＃１１）最適なピント状態を得、レリーズ押圧部２が全押しされるのを待つ（＃１７，＃１９）。
【０３４４】
そして、レリーズ押圧部２が全押しされたとき（＃１７）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ３（＃３）において読み込まれた各種条件にしたがって絞り６９を閉じてシャッタを切り、撮影が実行される（＃１８）。
【０３４５】
なお、撮影の実行に際しては、必要に応じて、あるいはカメラ操作部６５に設定された条件にしたがって、システムコントローラ６１がストロボ制御部６７を制御し、ストロボ発光部６８が撮影補助光としてのストロボ光を発光させる。
【０３４６】
一方、レリーズ押圧部２が全押しされるのを待っている間（＃１７，＃１９）に、撮影者が撮影動作を中止したとき、すなわちレリーズ押圧部２が全押しされることなく、半押し状態から解除されたとき（＃１９）は、ステップ２（＃２）に戻って、次に半押し状態が検出されるのを待つ（＃２）。
【０３４７】
また、被写体２００を含む構図全体が暗い場合等特殊な条件下では、ステップ９（＃９）におけるＣＣＤＡＦ動作によっても、コントラストＣの最大値Ｃｍａｘを検出することができない場合（＃１０）があり、この場合は、ＣＣＤＡＦ動作によっては最適なピント状態を得ることができないため、システムコントローラ６１は、測距センサ制御部３２から入力された位置ＸＡに、フォーカスレンズ群２３を移動させるように、フォーカス駆動系４１を制御して（＃１２）、レリーズ押圧部２が全押しされるのを待つ（＃１７，＃１９）。
【０３４８】
なお、このステップ１２（＃１２）におけるＡＦ動作は、いわゆる外光ＡＦ動作と同じである。
【０３４９】
また、システムコントローラ６１が、温度安定期間にあると判定したとき（＃６）は、さらに詳しくは、この温度安定期間が低温安定期間である場合には、低温安定期間を表すフラグを立て、高温安定期間である場合には、高温安定期間を表すフラグを立てており、ステップ９（＃９）においてＣＣＤＡＦ動作を行う限定走査範囲を決定する際に、これらのフラグに応じて、限定走査範囲の中心位置ＸＡを補正するようにしている。
【０３５０】
すなわち、低温安定期間および高温安定期間では、測距センサ３１による検出値は各期間内ではばらつかないものの、低温安定期間における検出値と高温安定期間における検出値とでは異なる値となるため、少なくとも一方の温度安定期間における検出値を補正するのが好ましい。
【０３５１】
そこで、例えば、低温安定期間における検出値を基準として設定している場合には、高温安定期間のフラグが立っている場合にのみ検出値を補正し、高温安定期間における検出値を基準として設定している場合には、低温安定期間のフラグが立っている場合にのみ検出値を補正し、低温安定期間と高温安定期間との中間温度における検出値を基準として設定している場合には、低温安定期間のフラグが立っている場合も高温安定期間のフラグが立っている場合も、それぞれの温度安定期間ごとに対応して設定された補正値によって検出値を補正すればよい。
【０３５２】
この温度に対応した検出値の補正は、伝統的なフイルムカメラ等の測距手段に用いられている補正方法をそのまま適用することができ、補正値等はメモリ群６３に予め記憶されており、システムコントローラ６１が、メモリ群６３からこの補正値を読み出して、上述した補正処理を行なうものとすればよい。
【０３５３】
なお、低温安定期間であるか高温安定期間であるかの判定は、例えば、電源ＳＷ７０がオンされてからの経過時間等に基づいて行うことができる。
【０３５４】
以上説明したように、本実施形態５に係るデジタルカメラ１００によれば、温度センサ８２，８２によって検出された測距センサ３１の近傍の温度分布の不均一性｜ｔａ−ｔｂ｜に応じて、制御手段６０が第１オートフォーカス手段５０の作動を制御することにより、測距センサ３１の測距精度の信頼性に応じて、第１オートフォーカス手段５０の作動が制御され、第１オートフォーカス手段５０によるＡＦ動作を適切な精度で行わせることができる。
【０３５５】
すなわち、測距センサ３１の精度の信頼性が低下する温度変動期間では、ＣＣＤＡＦ動作の限定走査範囲を広く設定することによって、全域（ＸＳ〜ＸＥ）を走査範囲としていれば検出されるべき最適ピント状態の位置が限定された走査範囲から外れて設定されるのを防止することができ、一方、測距センサ３１の精度の信頼性が低下しない温度安定期間では、限定走査範囲を狭く設定することによって、最適ピント状態を探索する探索時間を短縮することができる。
【０３５６】
また、デジタルカメラ１００を構成する構成要素のうち撮像素子１１の温度上昇は、デジタルカメラ１００内部の温度上昇に影響を与えやすいため、測距センサ３１の近傍部位のうち、撮像素子１１に近い側の部位の温度ｔａと遠い側の部位の温度ｔｂとの不均一性は、デジタルカメラ１００内部の温度の不均一性を顕著に反映し、しかもこれらの部位間の温度の不均一性は、測距精度に最も影響を与えやすい。
【０３５７】
したがって、本実施形態５に係るデジタルカメラ１００によれば、温度の不均一性によって、測距手段３０による測距精度の信頼性を端的に反映したＡＦ動作を行うことができる。
（実施形態６）
本発明の第３の画像入力装置に係る第２の実施形態（実施形態６）であるデジタルカメラ１００は、図２１に示すように、投影された像を像信号に変換して出力する撮像手段１０と、撮像手段１０に被写体２００の像を投影する撮影光学系２０と、被写体２００までの距離を測定する測距手段３０と、撮影光学系２０の一部を光軸方向に移動させて撮像手段１０に投影される像のピント状態を変化させるフォーカス駆動手段４０と、フォーカス駆動手段４０を制御してピント状態を順次変化させつつ、各ピント状態ごとに得られた像信号を逐次評価し、この評価に基づいて所定のピント状態を得る第１オートフォーカス手段５０と、測距手段３０によって得られた距離に基づいてフォーカス駆動手段４０を制御し、所定のピント状態を得る第２オートフォーカス手段９０と、第１オートフォーカス手段５０の作動と第２オートフォーカス手段９０の作動とを制御する制御手段６０と、電源を投入する電源ＳＷ７０と、デジタルカメラ１００内の互いに異なる２カ所の温度ｔａ，ｔｂをそれぞれ検出する２つの温度検出手段８１，８１とを備え、制御手段６０は、測距手段３０によって得られた距離に対応するピント状態の周辺ピント範囲で上記評価を行うように、第１オートフォーカス手段５０を制御するとともに、２つの温度検出手段８１，８１によってそれぞれ検出された温度ｔａ，ｔｂに基づくデジタルカメラ１００内部の温度分布の不均一性に応じて、第１オートフォーカス手段５０の作動と第２オートフォーカス手段９０の作動とを択一的に切り換えるように構成されている。
【０３５８】
そして、このデジタルカメラ１００は、詳細には図１７に示すように構成されている。
【０３５９】
すなわち、測距センサ３１と測距センサ制御部３２とが測距手段３０として、撮像素子（ＣＣＤ）１１とＡ／Ｄコンバータ１２と画像処理部１３とＬＰＦ（ローパスフィルタ）１４とが撮像手段１０として、鏡胴ユニット２１とズームレンズ群２２とフォーカスレンズ群２３とが撮影光学系２０として、フォーカス駆動系４１がフォーカス駆動手段４０として、システムコントローラ６１とメモリ群６３とが第１オートフォーカス手段５０、第２オートフォーカス手段９０および制御手段６０として、温度センサ８２，８２が温度検出手段８１，８１として、それぞれ対応している。
【０３６０】
なお、本実施形態６のデジタルカメラ１００と前述した実施形態５のデジタルカメラ１００とは、システムコントローラ６１の機能が異なる以外は同一の構成であるため、システムコントローラ６１の機能以外については、説明を省略する。
【０３６１】
システムコントローラ６１の第１オートフォーカス手段５０は、図４（ａ）に示すように、フォーカスレンズ群２３の可動範囲（ＸＳ〜ＸＥ）の全域を走査範囲として移動させつつ、フォーカスレンズ群２３の各位置Ｘにおける被写体像のコントラストＣを算出し、全域走査後に最大のコントラストＣｍａｘが得られる位置ＸＢを最適ピント状態の位置すなわち最適焦点位置として決定し、改めてこの位置ＸＢにフォーカスレンズ群２３を移動させるように、フォーカス駆動系４１を制御するＣＣＤＡＦを行うが、同じくシステムコントローラ６１の制御手段６０によって、その走査範囲は、フォーカスレンズ群２３の可動範囲の全域よりも狭く限定される。
【０３６２】
すなわち、制御手段６０は、図４（ｂ）に示すように、測距手段３０によって得られた被写体２００までの距離に対応するフォーカスレンズ群２３の位置ＸＡを算出し、上述したＣＣＤＡＦを行う際は、この位置ＸＡを中心として±ΔＸの走査範囲（ＸＡ−ΔＸ〜ＸＡ＋ΔＸ）を周辺ピント範囲と設定し、この周辺ピント範囲を走査範囲とするように、第１オートフォーカス手段５０を制御する。
【０３６３】
また、システムコントローラ６１の第２オートフォーカス手段９０は、測距手段３０によって得られた被写体までの距離に基づいて、この距離に対応した被写体２００の像が撮像素子１１上で最適なピント状態で結像するのに必要なフォーカスレンズ群２３の位置ＸＡを算出し、フォーカスレンズ群２３の位置が、この算出された位置ＸＡになるように、フォーカス駆動系４１を制御するいわゆる外光ＡＦ動作を行うオートフォーカス手段であり、第１オートフォーカス手段によるＡＦ動作（ＣＣＤＡＦ）よりも、測距手段３０の測距精度への依存度が高い。
【０３６４】
そして、制御手段６０は、２つの温度センサ８２，８２によって検出された測距センサ３１の周辺温度ｔａ，ｔｂの分布の不均一性を表す指標値（｜ｔａ−ｔｂ｜）が予め設定された所定値ｔ２（＞０）よりも大きいとき（ｔ２＜｜ｔａ−ｔｂ｜）は、第１オートフォーカス手段５０によるＣＣＤＡＦ動作となるように、温度分布の不均一性（｜ｔａ−ｔｂ｜）が予め設定された所定値ｔ２よりも大きくないとき（｜ｔａ−ｔｂ≦ｔ２）は、第２オートフォーカス手段９０による外光ＡＦ動作となるように、両オートフォーカス手段５０，９０を切換制御する。なお、所定値ｔ２は、実施形態５において説明したものと同一である。
【０３６５】
すなわち、測距センサ３１の近傍の温度分布の不均一性が所定値ｔ２よりも大きくないときは、低温で安定しているとき（低温安定期間）や高温で安定しているとき（高温安定期間）であり、その安定している温度に応じて所定の補正を行うことで測距センサ３１による測距値の信頼性を確保することができるため、第２オートフォーカス手段９０による外光ＡＦ動作を選択し、温度分布の不均一性が所定値ｔ２よりも大きいときは、温度ｔａ，ｔｂが急激に変動しているとき（温度変動期間）であり、特定の補正値を設定することできず、結果的に測距の信頼性が低下しているため、測距センサ３１の測距値への依存度が外光ＡＦ動作よりも相対的に低い第１オートフォーカス手段５０によるＣＣＤＡＦ動作を選択するものである。
【０３６６】
次に、本実施形態６に係るデジタルカメラ１００の作用について、図２２に示したフローチャートを参照して説明する。
【０３６７】
まず、撮影者は、このデジタルカメラ１００の電源ＳＷ７０をオンに切り換えて電源を投入し（＃２１）、デジタルカメラ１００を被写体２００に向けて撮影準備を整える。
【０３６８】
このとき、システムコントローラ６１は、メモリ群６３からＣＣＤＡＦの走査範囲の広狭を切り換えるための所定値ｔ２を読み込み、レリーズ押圧部２が押圧されるのを待つ（＃２２）。
【０３６９】
撮影者が撮影意図によってレリーズ押圧部２を押下すると、レリーズ押圧部２は、半押し位置を通過した後に全押し位置まで押下されるが、まず、ＡＦ動作のために半押し位置まで押下されると、半押し検出部３がレリーズ押圧部２の半押し状態を検出し（＃２２）、システムコントローラ６１に検出結果を送出する。
【０３７０】
なお、必要に応じて被写体２００にズームアップする場合は、カメラ操作部６５を操作して、システムコントローラ６１によりズーム駆動系６４を制御し、このズーム駆動系６４によってズームレンズ群２２を駆動させればよい。
【０３７１】
システムコントローラ６１は、半押し状態の検出結果の入力を受けて、その時点におけるズームレンズ群２２のズーム位置、絞り６９の開放状態（絞り値）、カメラ操作部６５に設定されている画質モード等を読み込む（＃２３）とともに、測距センサ３１による測距を開始させる。
【０３７２】
そして、システムコントローラ６１は、測距センサ３１による測距が可能か否かを、測距センサ制御部３２からの入力によって判定する（＃２４）。具体的には、例えば被写体が三角測量の原理では適切に距離を算出できないような繰返し模様を有するもの等であるときは、測距センサ制御部３２は適切な距離を算出することができず、この場合は、測距センサ制御部３２から測距ＮＧの信号がシステムコントローラ６１に入力され、一方、適切に距離を算出できた場合は、その測距距離がシステムコントローラ６１に入力されるため、システムコントローラ６１はその入力によって測距の可否を判定することができる。
【０３７３】
ここで、システムコントローラ６１の制御手段６０は、測距判定がＯＫの場合は、測距センサ制御部３２から入力された測距距離に対応するフォーカスレンズ群２３の位置ＸＡを、第１オートフォーカス手段５０によるＣＣＤＡＦの走査範囲の中心値ＸＡとして設定するとともに、この中心値ＸＡを挟んだ周辺ピント範囲（ＸＡ±ΔＸ）を、ＣＣＤＡＦの限定走査範囲として設定する。
【０３７４】
一方、測距判定がＮＧの場合は、システムコントローラ６１には測距センサ制御部３２から測距距離が入力されないためこの中心値ＸＡを設定できず、したがって、第１オートフォーカス手段５０の走査範囲をフォーカスレンズ群２３の可動範囲の全域（ＸＳ〜ＸＥ）に設定する。
【０３７５】
測距判定がＮＧの場合は続けて、第１オートフォーカス手段５０が、走査範囲（ＸＳ〜ＸＥ）について、フォーカス駆動系４１を制御してＣＣＤＡＦを行う（＃３１）。
【０３７６】
そして、コントラストＣの最大値（ピーク）Ｃｍａｘが得られたとき（＃３２）は、第１オートフォーカス手段５０は、そのコントラストＣの最大値Ｃｍａｘが得られた位置ＸＢにフォーカスレンズ群２３を移動させるようにフォーカス駆動系４１を制御して（＃３３）最適なピント状態を得、レリーズ押圧部２が全押しされるのを待つ（＃３５，＃３７）。
【０３７７】
そして、レリーズ押圧部２が全押しされたとき（＃３５）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ２３（＃２３）において読み込まれた各種条件にしたがって絞り６９を閉じてシャッタを切り、撮影が実行される（＃３６）。
【０３７８】
一方、レリーズ押圧部２が全押しされるのを待っている間（＃３５，＃３７）に、撮影者が撮影動作を中止したとき、すなわちレリーズ押圧部２が全押しされることなく、半押し状態から解除されたとき（＃３７）は、ステップ２２（＃２２）に戻って、次に半押し状態が検出されるのを待つ（＃２２）。
【０３７９】
また、被写体２００を含む構図全体が暗い場合等特殊な条件下では、ステップ３１（＃３１）におけるＣＣＤＡＦ動作によっても、コントラストＣの最大値Ｃｍａｘを検出することができない場合（＃３２）があり、この場合は、ＣＣＤＡＦ動作によっては最適なピント状態を得ることができないため、被写界深度が深くなる位置（常焦点位置）にフォーカスレンズ群２３を移動させるように、フォーカス駆動系４１を制御して（＃３４）、レリーズ押圧部２が全押しされるのを待つ（＃３５，＃３７）。
【０３８０】
次に、測距判定がＯＫの場合（＃２４）は、システムコントローラ６１は、ＣＣＤＡＦの限定走査範囲を設定するが、さらにシステムコントローラ６１は、２つの温度センサ８２，８２がそれぞれ検出した測距センサ３１の近傍の温度ｔａ，ｔｂを読み込み（＃２５）、両温度の差である温度分布の不均一性の指標値｜ｔａ−ｔｂ｜を算出し、この値と所定値ｔ２とを比較し、温度安定期間にあるか、温度変動期間にあるかを判定する（＃２６）。
【０３８１】
そして、温度安定期間にあると判定したときは、測距センサ制御部３２による測距距離がある程度信頼性が高いものであると判定し、この測距センサ３２の測距精度への依存度が相対的に高い、第２オートフォーカス手段９０による外光ＡＦ動作に切り換え、温度変動期間にあると判定したときは、測距センサ制御部３２による測距距離が相対的に信頼性が低いものであると判定し、この測距センサ３２の測距精度への依存度が相対的に低い、第１オートフォーカス手段５０によるＣＣＤＡＦ動作に切り換える（＃２６）。
【０３８２】
このようにして、温度変動期間に対応してＣＣＤＡＦ動作に切り換えられたときは、システムコントローラ６１の制御部６０が設定した限定走査範囲について、第１オートフォーカス手段５０がフォーカス駆動系４１を制御してＣＣＤＡＦを行う（＃２７）。
【０３８３】
そして、この限定走査範囲でのコントラストＣの最大値（ピーク）Ｃｍａｘが得られたとき（＃２８）は、第１オートフォーカス手段５０は、そのコントラストＣの最大値Ｃｍａｘが得られた位置ＸＢにフォーカスレンズ群２３を移動させるようにフォーカス駆動系４１を制御して（＃２９）最適なピント状態を得、レリーズ押圧部２が全押しされるのを待つ（＃３５，＃３７）。
【０３８４】
そして、レリーズ押圧部２が全押しされたとき（＃３５）すなわち撮影者が撮影実行操作を行ったときは、全押し検出部４がこのレリーズ押圧部２の全押し状態を検出し、この検出結果がシステムコントローラ６１に入力され、システムコントローラ６１はこの検出結果の入力により、シャッタ・絞り駆動系６２を制御し、ステップ２３（＃２３）において読み込まれた各種条件にしたがって絞り６９を閉じてシャッタを切り、撮影が実行される（＃３６）。
【０３８５】
なお、撮影の実行に際しては、必要に応じて、あるいはカメラ操作部６５に設定された条件にしたがって、システムコントローラ６１がストロボ制御部６７を制御し、ストロボ発光部６８が撮影補助光としてのストロボ光を発光させる。
【０３８６】
一方、レリーズ押圧部２が全押しされるのを待っている間（＃３５，＃３７）に、撮影者が撮影動作を中止したとき、すなわちレリーズ押圧部２が全押しされることなく、半押し状態から解除されたとき（＃３７）は、ステップ２２（＃２２）に戻って、次に半押し状態が検出されるのを待つ（＃２２）。
【０３８７】
また、被写体２００を含む構図全体が暗い場合等特殊な条件下では、ステップ２７（＃２７）におけるＣＣＤＡＦ動作によっても、コントラストＣの最大値Ｃｍａｘを検出することができない場合（＃２８）があり、この場合は、ＣＣＤＡＦ動作によっては最適なピント状態を得ることができないため、システムコントローラ６１は、第２オートフォーカス手段９０による外光ＡＦ動作に切り換える（＃２８）。
【０３８８】
そして、温度安定期間にあると判定して第２オートフォーカス手段９０による外光ＡＦ動作に切り換えたとき（＃２６）、またはＣＣＤＡＦ動作によっては最適なピント状態を得ることができないため、第２オートフォーカス手段９０による外光ＡＦ動作に切り換えたとき（＃２８）、第２オートフォーカス手段９０は、測距センサ制御部３２から入力された位置ＸＡに、フォーカスレンズ群２３を移動させるように、フォーカス駆動系４１を制御して（＃３０）、レリーズ押圧部２が全押しされるのを待つ（＃３５，＃３７）。
【０３８９】
なお、システムコントローラ６１が、温度安定期間にあると判定したとき（＃２６）は、さらに詳しくは、この温度安定期間が低温安定期間である場合には、低温安定期間を表すフラグを立て、高温安定期間である場合には、高温安定期間を表すフラグを立てており、ステップ３０（＃３０）において外光ＡＦ動作を行う位置ＸＡを補正するようにしている。
【０３９０】
すなわち、低温安定期間および高温安定期間では、測距センサ３１による検出値は各期間内ではばらつかないものの、低温安定期間における検出値と高温安定期間における検出値とでは異なる値となるため、少なくとも一方の温度安定期間における検出値を補正するのが好ましい。
【０３９１】
そこで、例えば、低温安定期間における検出値を基準として設定している場合には、高温安定期間のフラグが立っている場合にのみ検出値を補正し、高温安定期間における検出値を基準として設定している場合には、低温安定期間のフラグが立っている場合にのみ検出値を補正し、低温安定期間と高温安定期間との中間温度における検出値を基準として設定している場合には、低温安定期間のフラグが立っている場合も高温安定期間のフラグが立っている場合も、それぞれの温度安定期間ごとに対応して設定された補正値によって検出値を補正すればよい。
【０３９２】
この温度に対応した検出値の補正は、伝統的なフイルムカメラ等の測距手段に用いられている補正方法をそのまま適用することができ、補正値等はメモリ群６３に予め記憶されており、システムコントローラ６１が、メモリ群６３からこの補正値を読み出して、上述した補正処理を行なうものとすればよい。
【０３９３】
なお、低温安定期間であるか高温安定期間であるかの判定は、例えば、電源ＳＷ７０がオンされてからの経過時間等に基づいて行うことができる。
【０３９４】
以上説明したように、本実施形態６に係るデジタルカメラ１００によれば、温度センサ８２，８２によって検出された測距センサ３１の近傍の温度分布の不均一性｜ｔａ−ｔｂ｜に応じて、制御手段６０が第１オートフォーカス手段５０の作動と第２オートフォーカス手段９０の作動とを択一的に切り換える制御を行うことにより、測距センサ３１の測距精度の信頼性に応じて、第１オートフォーカス手段５０によるＣＣＤＡＦ動作、または第２オートフォーカス手段９０による外光ＡＦ動作が行われ、両オートフォーカス手段５０，９０によるＡＦ動作を適切な精度で行わせることができる。
【０３９５】
すなわち、測距センサ３１の精度の信頼性が低下する温度変動期間では、ＡＦ精度の高いＣＣＤＡＦ動作を選択することによって、測距センサ３１の信頼性低下による最適ピント状態の誤探索を防止することができ、一方、測距センサ３１の精度の信頼性が低下しない温度安定期間では、ＡＦ動作速度の速い外光ＡＦ動作を選択することによって、最適ピント状態を探索する探索時間を短縮することができる。
【０３９６】
また、デジタルカメラ１００を構成する構成要素のうち撮像素子１１の温度上昇は、デジタルカメラ１００内部の温度上昇に影響を与えやすいため、測距センサ３１の近傍部位のうち、撮像素子１１に近い側の部位の温度ｔａと遠い側の部位の温度ｔｂとの不均一性は、デジタルカメラ１００内部の温度の不均一性を顕著に反映し、しかもこれらの部位間の温度の不均一性は、測距精度に最も影響を与えやすい。
【０３９７】
したがって、本実施形態６に係るデジタルカメラ１００によれば、温度の不均一性によって、測距手段３０による測距精度の信頼性を端的に反映したＡＦ動作を行うことができる。
【０３９８】
なお、本発明に係る画像入力装置は、上述した各実施形態のデジタルカメラに限定されるものではなく、各請求項に記載された発明の範囲で、種々の形態を採用することができることはいうまでもない。
【０３９９】
例えば、筐体１に対してフォーカスレンズ群２３を固定的に配し、撮像素子１１やＬＰＦ１４を、フォーカスレンズ群２３に対して相対的にその光軸方向に移動可能とし、フォーカス駆動系４１がフォーカスレンズ群２３を駆動するのに代えて、これら撮像素子１１等を駆動するものとしてもよい。
【０４００】
また、撮像素子１１としては、ＣＣＤ以外の固体撮像素子、例えばＣＭＯＳ等を適用してもよい。
【０４０１】
さらに、測距センサ３１および測距センサ制御部３２からなる測距手段３０としては、上述したいわゆるパッシブＡＦ動作用の測距モジュールに代えて、被写体に近赤外光や超音波等を照射して、その反射波を検出することにより測距するいわゆるアクティブＡＦ動作用のモジュールを適用することもできる。
【０４０２】
【発明の効果】
以上、説明したように、本発明の請求項１に係る画像入力装置によれば、タイマ手段によって計時された経過時間に応じて、制御手段が第１オートフォーカス手段の作動を制御することにより、画像入力装置内の温度に応じて、すなわち測距手段の測距精度等に応じて、第１オートフォーカス手段の作動が制御され、第１オートフォーカス手段によるＡＦ動作を適切な精度で行わせることができる。
【０４０３】
また、本発明の請求項２に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【０４０４】
また、電源投入からの経過時間に応じてこの周辺ピント範囲の広狭が設定されるため、例えば、測距手段等の精度が低下するような温度状況下では、所定ピント状態を探索するために走査する周辺ピント範囲を広く設定して評価することによって、全域を走査範囲としていれば検出されるべき最適ピント状態の位置が限定された走査範囲から外れて設定されるのを防止することができ、一方、測距手段等の精度が低下しない温度状況下では、走査する周辺ピント範囲を狭く設定して評価することによって、探索時間の短縮を図ることができる。
【０４０５】
なお、制御手段が、第１オートフォーカス手段が評価する際の対象であるピント範囲の広狭を制御するだけでなく、フォーカス駆動手段による撮影光学系等の移動範囲の広狭も併せて制御するものでは、撮影光学系等の移動範囲を狭く設定した場合において、この撮影光学系等の移動に要する時間を短縮することができ、ＡＦ動作完了までのタイムラグを低減することができる。
【０４０６】
また、本発明の請求項３に係る画像入力装置によれば、経過時間が、測距手段の周辺温度の変動期間に対応して予め設定された時間範囲であるときは、周辺温度の安定期間に対応する時間範囲であるときよりも、測距手段の測距精度が変動しやすいため、低温安定期間や高温安定期間のように一律な補正によって対応することができないが、制御手段が、精度変動している状態の測距手段によって検出された測距距離を基礎として設定される周辺ピント範囲を広く設定するため、この周辺ピント範囲を走査範囲として評価する第１オートフォーカス手段の精度が低下するのを防止することができる。
【０４０７】
また、本発明の請求項４に係る画像入力装置によれば、制御手段が、タイマ手段によって計時された経過時間に応じて、第１オートフォーカス手段の作動と第２オートフォーカス手段の作動とを切り換えるため、例えば、経過時間が上述した温度の変動期間に対応する時間範囲にあるときは、測距手段の測距精度への依存度が比較的少ない第１オートフォーカス手段の作動に切り換えてコントラストＡＦ動作を行わせ、一方、経過時間が上述した温度の安定期間に対応する時間範囲にあるときは、第２オートフォーカス手段の作動に切り換えて外光ＡＦ動作を行わせて、温度変動に対するＡＦ精度の低下を適切に防止することができる。
【０４０８】
また、本発明の請求項５に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【０４０９】
また、本発明の請求項６に係る画像入力装置によれば、経過時間が、測距手段の周辺温度の変動期間に対応して予め設定された時間範囲であるときは、周辺温度の安定期間に対応する時間範囲であるときよりも、測距手段の測距精度が変動しやすいため、低温安定期間や高温安定期間のように一律な補正によって対応することができないが、経過時間が変動期間に対応して予め設定された時間範囲であるときは、測距手段の測距精度への依存度が比較的少ない第１オートフォーカス手段を作動させ、経過時間が安定期間に対応する時間範囲であるときは、第２オートフォーカス手段を作動させるように、制御手段が第１オートフォーカス手段の作動と第２オートフォーカス手段の作動とを切り換えるため、温度変動に対するＡＦ精度の低下を適切に防止することができる。
【０４１０】
また、本発明の請求項７に係る画像入力装置によれば、低温安定期間が終了してから高温安定期間が開始するまでの間の期間は、低温安定期間中の低温状態から高温安定期間の高温状態に至る急激な温度変動期間であり、この期間を変動期間として設定することにより、測距手段の精度変動期間には、走査範囲である周辺ピント範囲を拡大してコントラストＡＦ動作を作動させることによって、または測距手段の精度変動期間には、外光ＡＦ動作を行わずにコントラストＡＦ動作を行うことによって、測距手段の精度変動によるＡＦ精度の低下を防止することができる。
【０４１１】
また、本発明の請求項８に係る画像入力装置によれば、制御手段が、温度検出手段によって検出された初期温度に応じて、第２の所定時間を遅延させることにより、画像入力装置の温度の変動期間と安定期間とを精度よく設定することができ、測距手段の精度変動によるＡＦ精度の低下を防止することができる。
【０４１２】
また、本発明の請求項９に係る画像入力装置によれば、温度検出手段によって検出された温度の経時的変化割合に応じて、制御手段が第１オートフォーカス手段の作動を制御することにより、画像入力装置内の温度の経時的変化割合すなわち測距手段の測距精度等に応じて、第１オートフォーカス手段の作動が制御され、第１オートフォーカス手段によるＡＦ動作を適切な精度で行わせることができる。
【０４１３】
また、本発明の請求項１０に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【０４１４】
また、画像入力装置内の温度の経時的変化割合に応じて、この周辺ピント範囲の広狭が設定されるため、例えば、測距手段等の精度が低下するような温度状況下では、所定ピント状態を探索するために走査する周辺ピント範囲を広く設定して評価することによって、全域を走査範囲としていれば検出されるべき最適ピント状態の位置が限定された走査範囲から外れて設定されるのを防止することができ、一方、測距手段等の精度が低下しない温度状況下では、走査する周辺ピント範囲を狭く設定して評価することによって、探索時間の短縮を図ることができる。
【０４１５】
なお、制御手段が、第１オートフォーカス手段が評価する際の対象であるピント範囲の広狭を制御するだけでなく、フォーカス駆動手段による撮影光学系等の移動範囲の広狭も併せて制御するものでは、撮影光学系等の移動範囲を狭く設定した場合において、この撮影光学系等の移動に要する時間を短縮することができ、ＡＦ動作完了までのタイムラグを低減することができる。
【０４１６】
また、本発明の請求項１１に係る画像入力装置によれば、温度の経時的変化割合が、予め設定された所定値よりも大きいときは、所定値よりも小さいときよりも、測距手段の測距精度が変動しやすいため、低温安定期間や高温安定期間のように一律な補正によって対応することができないが、制御手段が、精度変動している状態の測距手段によって検出された測距距離を基礎として設定される周辺ピント範囲を広く設定するため、この周辺ピント範囲を走査範囲として評価する第１オートフォーカス手段の精度が低下するのを防止することができる。
【０４１７】
また、本発明の請求項１２に係る画像入力装置によれば、制御手段が、温度検出手段によって検出された画像入力装置内の温度の経時的変化割合に応じて、第１オートフォーカス手段の作動と第２オートフォーカス手段の作動とを切り換えるため、例えば、検出された温度に基づく経時的変化割合が変動期間に対応するときは、測距手段の測距精度への依存度が比較的少ない第１オートフォーカス手段の作動に切り換えてコントラストＡＦ動作を行わせ、一方、経時的変化割合が安定期間に対応するときは、第２オートフォーカス手段の作動に切り換えて外光ＡＦ動作を行わせて、温度変動に対するＡＦ精度の低下を適切に防止することができる。
【０４１８】
また、本発明の請求項１３に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【０４１９】
また、本発明の請求項１４に係る画像入力装置によれば、温度の経時的変化割合が予め設定された所定値よりも大きいときは、所定値より小さいときよりも、測距手段の測距精度が変動しやすいため、低温安定期間や高温安定期間のように一律な補正によって対応することができないが、この場合は、測距手段の測距精度への依存度が比較的少ない第１オートフォーカス手段を作動させ、温度の経時的変化割合が予め設定された所定値よりも小さい場合は、第２オートフォーカス手段を作動させるように、制御手段が第１オートフォーカス手段の作動と第２オートフォーカス手段の作動とを切り換えるため、画像入力装置内部の温度変動に対するＡＦ精度の低下を適切に防止することができる。
【０４２０】
また、本発明の請求項１５に係る画像入力装置によれば、複数の温度検出手段によってそれぞれ検出された温度に基づく装置内の温度不均一性に応じて、制御手段が第１オートフォーカス手段の作動を制御することにより、画像入力装置内の温度の均一性すなわち測距手段の測距精度等に応じて、第１オートフォーカス手段の作動が制御され、第１オートフォーカス手段によるＡＦ動作を適切な精度で行わせることができる。
【０４２１】
また、本発明の請求項１６に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【０４２２】
また、画像入力装置内の温度の不均一性に応じて、この周辺ピント範囲の広狭が設定されるため、例えば、測距手段等の精度が低下するような温度不均一な状況下では、所定ピント状態を探索するために走査する周辺ピント範囲を広く設定して評価することによって、全域を走査範囲としていれば検出されるべき最適ピント状態の位置が限定された走査範囲から外れて設定されるのを防止することができ、一方、測距手段等の精度が低下しない温度均一な状況下では、走査する周辺ピント範囲を狭く設定して評価することによって、探索時間の短縮を図ることができる。
【０４２３】
なお、制御手段は、第１オートフォーカス手段が評価する際の対象であるピント範囲の広狭を制御するだけでなく、フォーカス駆動手段による撮影光学系等の移動範囲の広狭も併せて制御するものでは、撮影光学系等の移動範囲を狭く設定した場合において、この撮影光学系等の移動に要する時間を短縮することができ、ＡＦ動作完了までのタイムラグを低減することができる。
【０４２４】
また、本発明の請求項１７に係る画像入力装置によれば、温度の不均一性を表す指標値が、予め設定された所定値よりも大きいときは、所定値よりも小さいときよりも、測距手段の測距精度が変動しやすいため、低温安定期間や高温安定期間のように一律な補正によって対応することができないが、制御手段が、精度変動している状態の測距手段によって検出された測距距離を基礎として設定される周辺ピント範囲を広く設定するため、この周辺ピント範囲を走査範囲として評価する第１オートフォーカス手段の精度が低下するのを防止することができる。
【０４２５】
また、本発明の請求項１８に係る画像入力装置によれば、制御手段が、複数の温度検出手段によって検出された画像入力装置内の温度に基づく温度の不均一性に応じて、第１オートフォーカス手段の作動と第２オートフォーカス手段の作動とを切り換えるため、例えば、不均一性が高い変動期間に対応するときは、測距手段の測距精度への依存度が比較的少ない第１オートフォーカス手段の作動に切り換えてコントラストＡＦ動作を行わせ、一方、不均一性が低い安定期間に対応するときは、第２オートフォーカス手段の作動に切り換えて外光ＡＦ動作を行わせて、画像入力温度変動に対するＡＦ精度の低下を適切に防止することができる。
【０４２６】
また、本発明の請求項１９に係る画像入力装置によれば、第１オートフォーカス手段が、測距手段によって得られた距離に対応するピント状態の周辺ピント範囲で評価を行うように制御されるため、第１オートフォーカス手段が、所定ピント状態を探索するために走査する範囲を、周辺ピント範囲に限定することができ、ＡＦ動作時間を短縮することができる。
【０４２７】
また、本発明の請求項２０に係る画像入力装置によれば、温度の不均一性を表す指標値が予め設定された所定値よりも大きいときは、所定値よりも小さいときよりも、測距手段の測距精度が変動しやすいため、低温安定期間や高温安定期間のように一律な補正によって対応することができないが、この場合は、測距手段の測距精度への依存度が比較的少ない第１オートフォーカス手段を作動させ、温度の不均一性を表す指標値が予め設定された所定値よりも小さい場合は、第２オートフォーカス手段を作動させるように、制御手段が第１オートフォーカス手段の作動と第２オートフォーカス手段の作動とを切り換えるため、画像入力装置内部の温度変動に対するＡＦ精度の低下を適切に防止することができる。
【０４２８】
また、本発明の請求項２１に係る画像入力装置に係る画像入力装置によれば、温度の不均一性によって、測距手段による測距精度を端的に判定することができる。
【０４２９】
また、本発明の請求項２２に係る画像入力装置によれば、測距精度が比較的温度の影響を受けやすい測距手段であっても、装置内部の温度状況に対応して適切に精度を確保したＡＦ動作を行うことができる。
【図面の簡単な説明】
【図１】本発明の第１の画像入力装置に係る第１の実施形態（実施形態１）であるデジタルカメラの概略構成を示すブロック図である。
【図２】図１および図８に示したデジタルカメラの詳細な構成を示す図である。
【図３】（ａ）は測距手段の構成を示す図、（ｂ）は測距手段の作用を説明する図である。
【図４】ＣＣＤＡＦの走査範囲を示す図であり、（ａ）はフォーカスレンズ群の可動範囲全域、（ｂ）は限定範囲を示す図である。
【図５】電源オンからの経過時間と測距センサの信頼性低下期間との対応関係を示すグラフである。
【図６】実施形態１のデジタルカメラのＡＦ制御動作を示すフローチャートである。
【図７】デジタルカメラ内部の初期温度とその後の温度との関係を示すグラフである。
【図８】本発明の第１の画像入力装置に係る第２の実施形態（実施形態２）であるデジタルカメラの概略構成を示すブロック図である。
【図９】実施形態２のデジタルカメラのＡＦ制御動作を示すフローチャートである。
【図１０】本発明の第２の画像入力装置に係る第１の実施形態（実施形態３）であるデジタルカメラの概略構成を示すブロック図である。
【図１１】図１０および図１４に示したデジタルカメラの詳細な構成を示す図である。
【図１２】デジタルカメラ内部の温度の経時的変動割合と測距センサの信頼性低下期間との対応関係を示すグラフである。
【図１３】実施形態３のデジタルカメラのＡＦ制御動作を示すフローチャートである。
【図１４】本発明の第２の画像入力装置に係る第２の実施形態（実施形態４）であるデジタルカメラの概略構成を示すブロック図である。
【図１５】実施形態４のデジタルカメラのＡＦ制御動作を示すフローチャートである。
【図１６】本発明の第３の画像入力装置に係る第１の実施形態（実施形態５）であるデジタルカメラの概略構成を示すブロック図である。
【図１７】図１６および図２１に示したデジタルカメラの詳細な構成を示す図である。
【図１８】温度センサの配設位置と撮像素子との位置関係を示す図である。
【図１９】デジタルカメラ内部の温度分布の不均一性と測距センサの信頼性低下期間との対応関係を示すグラフである。
【図２０】実施形態５のデジタルカメラのＡＦ制御動作を示すフローチャートである。
【図２１】本発明の第３の画像入力装置に係る第２の実施形態（実施形態６）であるデジタルカメラの概略構成を示すブロック図である。
【図２２】実施形態６のデジタルカメラのＡＦ制御動作を示すフローチャートである。
【符号の説明】
１      筐体
１０  撮像手段
２０  撮影光学系
３０  測距手段
４０  フォーカス駆動系
５０  第１オートフォーカス手段
６０  制御手段
７０  電源ＳＷ
８０  タイマ
９０  第２オートフォーカス手段
１００  デジタルカメラ
２００  被写体
【図１】
2004279684.tif 000003
【図２】
2004279684.tif 000004
【図３】
2004279684.tif 000005
【図４】
2004279684.tif 000006
【図５】
2004279684.tif 000007
【図６】
2004279684.tif 000008
【図７】
2004279684.tif 000009
【図８】
2004279684.tif 000010
【図９】
2004279684.tif 000011
【図１０】
2004279684.tif 000012
【図１１】
2004279684.tif 000013
【図１２】
2004279684.tif 000014
【図１３】
2004279684.tif 000015
【図１４】
2004279684.tif 000016
【図１５】
2004279684.tif 000017
【図１６】
2004279684.tif 000018
【図１７】
2004279684.tif 000019
【図１８】
2004279684.tif 000020
【図１９】
2004279684.tif 000021
【図２０】
2004279684.tif 000022
【図２１】
2004279684.tif 000023
【図２２】
2004279684.tif 000024